(57)【特許請求の範囲】
【請求項１】
表示パネルと、該表示パネルの背面にて線順次走査方向と平行な複数の各光源ブロックを構成する背面光源と、を制御する表示パネルの制御装置であって、
前記表示パネルに対して映像表示の走査開始と黒もしくは暗画像の表示走査開始とを特定期間に行うと共に黒もしくは暗画像の挿入駆動を行う黒画像挿入駆動部と、
前記黒画像挿入駆動部での前記映像表示又は前記黒もしくは暗画像表示の走査開始のタイミングと同期する同期信号に基づいて、前記光源ブロックの各々の点灯又は消灯の各開始時期のタイミングを設定制御する点灯タイミング制御部と、
を含み、
前記点灯タイミング制御部は、
一の前記光源ブロックの消灯期間が、一の前記光源ブロックに対応する前記表示パネルのブロック領域内の全ての表示ラインについての前記黒もしくは暗画像表示走査の終了時期から、前記ブロック領域内の最初の表示ラインについての前記映像走査の開始時期までの期間以下となる期間条件を満たすように、前記点灯又は消灯の各開始時期を設定制御すると共に、期間条件を満たしつつ、前記黒もしくは暗画像表示走査の開始タイミングから、前記各々の光源ブロックの消灯の開始タイミングを、一定期間ずらし、
且つ、
前記表示パネルの駆動ライン数をＶｔｏｔａｌ、前記表示パネルの表示ラインである走査線数をＶｄｉｓｐ、ブロック分割された前記光源ブロックのブロック数をＮ、前記黒画像挿入駆動部によるフレーム期間の黒画像挿入率をＸｐ、前記フレーム期間に占める前記消灯期間の比率である消灯率をＸｂとすると、
Ｘｂ  ≦  Ｘｐ  −  （Ｖｄｉｓｐ／Ｎ）／Ｖｔｏｔａｌ
となる前記黒画像挿入率Ｘｐと前記消灯率Ｘｂとの相関条件を満たす範囲で、前記黒画像挿入率に応じた前記消灯期間及び前記ブロック数に基づいて前記光源ブロックの各々の点灯又は消灯の各開始時期のタイミングを制御する
ことを特徴とした表示パネルの制御装置。
【請求項２】
請求項１に記載の表示パネルの制御装置において、
前記黒画像挿入駆動部は、
映像信号に従って映像表示を行う映像部分と、黒もしくは暗画像信号に従って黒もしくは暗表示を行う黒もしくは暗画像部分とが交互に含まれた黒画像挿入映像信号を前記表示パネルに供給する際に、前記映像信号をｋ倍速し、１フレーム期間をｋ分割した複数のサブフレーム期間に変換する制御を行う倍速変換制御部と、
少なくとも一つの前記サブフレーム期間に前記黒もしくは暗画像信号を挿入する黒画像挿入信号変換部と、
を含み、
前記点灯タイミング制御部は、
前記表示パネルの駆動ライン数をＶｔｏｔａｌ、前記表示パネルの表示ライン数をＶｄｉｓｐ、ブロック分割された前記光源ブロックのブロック数をＮ、前記黒画像挿入駆動部によるフレーム期間の黒画像挿入率をＸｐ、前記フレーム期間に占める前記消灯期間の比率である消灯率をＸｂ、前記サブフレーム期間の数をｋとすると、
Ｘｂ  ≦  Ｘｐ  −  （Ｖｄｉｓｐ／ｋＮ）／Ｖｔｏｔａｌ
となる前記黒画像挿入率Ｘｐと前記消灯率Ｘｂとの相関条件を満たす範囲で、前記黒画像挿入率に応じた前記消灯期間及び前記ブロック数に基づいて前記光源ブロックの各々の点灯又は消灯の各開始時期のタイミングを制御することを特徴とする表示パネルの制御装置。
【請求項３】
請求項１又は請求項２に記載の表示パネルの制御装置において、
前記点灯タイミング制御部は、
前記表示パネルの実質黒画像挿入期間をＴｐ、フレーム周期をＴｖとしたときの、透過率０．５を閾値とした実質黒画像挿入率をＸｐ’＝Ｔｐ’／Ｔｖとし、
前記背面光源の実質消灯期間をＴｂ’、フレーム周期をＴｖとしたときの、実質消灯率をＸｂ’＝Ｔｂ’／Ｔｖとし、
前記実質黒画像挿入率に応じた前記消灯期間及び前記ブロック数に基づいて前記光源ブロックの各々の点灯又は消灯の各開始時期のタイミングを制御することを特徴とする表示パネルの制御装置。
【請求項４】
請求項１に記載の表示パネルの制御装置において、
前記点灯タイミング制御部は、
前記ブロック数Ｎが６以上となるようにブロック分割して各前記光源ブロックを各々駆動制御することを特徴とする表示パネルの制御装置。
【請求項５】
請求項２に記載の表示パネルの制御装置において、
前記点灯タイミング制御部は、
前記ブロック数Ｎが６／ｋ以上となるようにブロック分割して各前記光源ブロックを各々駆動制御することを特徴とする表示パネルの制御装置。
【請求項６】
マトリクス状に配置された複数のゲート線及び複数のソース線の各交差部に各々画素が形成された構成の表示パネルと、
映像信号に従って映像表示を行う映像部分と、黒もしくは暗画像信号に従って黒もしくは暗表示を行う黒もしくは暗画像部分とが交互に含まれた黒画像挿入映像信号を前記各ソース線に供給するソース線駆動部と、
前記複数のゲート線を幾つかの群に分けたゲート線群それぞれに対して設けられ対応する各ゲート線にゲート駆動信号を順次供給する複数のゲート線駆動部と、
前記表示パネルの背面部にて線順次走査方向と平行な複数の光源ブロックをブロック単位にて点灯消灯する制御を行う点灯制御部と、
前記表示パネルの背面部に配設され、複数の前記光源ブロックを含むバックライトユニットと、
前記点灯制御部、前記ゲート線駆動部、及び前記ソース線駆動部を制御する、請求項１乃至請求項５のうちいずれか一項に記載の表示パネルの制御装置と、
を含み、
前記バックライトユニットは、
隣接する各前記光源ブロックのブロック境界部に形成され該バックライトユニットの底部より突出する凸部を有し、
前記凸部の突出端部と該バックライトユニットの天部との間で、隣接する各前記光源ブロックのブロック境界部を、該ブロック境界部に亘って間隙部として構成することを特徴とする液晶表示装置。
【請求項７】
請求項６に記載の液晶表示装置を表示パネルとして装備したことを特徴とする電子機器。
【請求項８】
表示パネルに対して映像表示の走査開始と黒もしくは暗画像の表示走査開始とを特定期間に行うと共に黒もしくは暗画像の挿入駆動を行う黒画像挿入駆動ステップと、
前記黒画像挿入駆動ステップでの前記映像表示又は前記黒もしくは暗画像表示の走査開始のタイミングと同期する同期信号に基づいて、前記表示パネルの背面部にて線順次走査方向と平行な複数の各光源ブロックの各々の点灯又は消灯の各開始時期のタイミングを設定制御する点灯タイミング制御ステップと、
を含み、
前記点灯タイミング制御ステップでは、
一の前記光源ブロックの消灯期間が、一の前記光源ブロックに対応する前記表示パネルのブロック領域内の全ての表示ラインについての前記黒もしくは暗画像表示走査の終了時期から、前記ブロック領域内の最初の表示ラインについての前記映像走査の開始時期までの期間以下となる期間条件を満たすように、前記点灯又は消灯の各開始時期を設定制御すると共に、期間条件を満たしつつ、前記黒もしくは暗画像表示走査の開始タイミングから、前記各々の光源ブロックの消灯の開始タイミングを、一定期間ずらし、
且つ、
前記表示パネルの駆動ライン数をＶｔｏｔａｌ、前記表示パネルの表示ラインである走査線数をＶｄｉｓｐ、ブロック分割された前記光源ブロックのブロック数をＮ、前記黒画像挿入駆動ステップによるフレーム期間の黒画像挿入率をＸｐ、前記フレーム期間に占める前記消灯期間の比率である消灯率をＸｂとすると、
Ｘｂ  ≦  Ｘｐ  −  （Ｖｄｉｓｐ／Ｎ）／Ｖｔｏｔａｌ
となる前記黒画像挿入率Ｘｐと前記消灯率Ｘｂとの相関条件を満たす範囲で、前記黒画像挿入率に応じた前記消灯期間及び前記ブロック数に基づいて前記光源ブロックの各々の点灯又は消灯の各開始時期のタイミングを制御する
ことを特徴とする表示パネルの駆動制御方法。
【発明の詳細な説明】
【技術分野】
【０００１】
本発明は、表示パネルの制御装置、液晶表示装置などに関し、より詳細には、液晶表示装置のバックライト駆動に関する。
【背景技術】
【０００２】
液晶表示装置のようなホールド型表示装置における動画尾引き改善のため、例えば液晶表示パネルでは、画像信号間に一定の割合で黒信号を表示する黒挿入駆動や、液晶表示パネルの背面光源（以下、バックライトという）を点滅させるブリンキングバックライト駆動やスキャニングバックライト駆動（特許文献１）など、表示を擬似的にインパルス型にする提案がなされている。  
【０００３】
図４７乃至図５２に、各駆動（通常駆動、黒挿入駆動、スキャニングバックライト駆動）の画面のある１点の輝度波形を、白表示及び黒表示についてそれぞれ示す。
図４７乃至図４９に示すように、黒挿入駆動は、全白表示の場合、白表示と挿入した黒表示の平均した輝度を人間は認識するため、通常駆動に比べ白輝度は半減する。また、図５０乃至図５２に示すように、黒表示の場合は、通常駆動の黒表示と同じ輝度波形となるため、結果として通常駆動に比してコントラストが半減する。
【０００４】
さらに、前述の様に白表示の輝度は半減するが、消費電力の大半を占めるバックライトは黒表示の期間にも常時点灯しているため輝度効率が悪く、黒挿入適用前と同等の輝度を出すためには消費電力が増大する、という不具合があり、総合的な性能を保つことが困難であった。
【０００５】
すなわち、黒挿入駆動による手法は、動画尾引きが改善する代わりに、黒表示の期間以外の表示輝度が減少するため、表示のコントラストが低下し、さらに黒表示の期間にもバックライトは常に点灯しているため輝度効率が悪く、黒挿入適用前と同等の輝度を出すためには消費電力が倍増しなければならないという課題があった。
【０００６】
一方、図５３、図５４に示すように、液晶表示パネルの場合、背面の光源を液晶表示パネルの走査線に対応して順次点灯及び消灯させるブリンキングバックライト駆動は、全白表示の場合、白表示と黒表示を平均した輝度を人間は認識するため、通常駆動に比べ白輝度は半減するが、黒表示もバックライトを消灯するために白表示と同様に半減し、結果としてコントラストは通常駆動と同等となり、さらに、白表示の輝度は半減するが、バックライトを消灯することで消費電力も半減するため、輝度効率は通常駆動と同等となり、優れた手法のように思われる。
すなわち、ブリンキングバックライト駆動は、ある１つの画素だけを考えると、動画尾引きが改善すると共に、白表示と同様に黒表示も輝度が減少するため、表示のコントラストは低下せず、バックライトを消灯している間の消費電力は減少するため、輝度効率も低下しない優れた手法のように思われる。  
【０００７】
しかしながら、図５３、図５４に示す液晶表示パネルは、線順次走査であるため、画面の各ラインでフレーム情報が書き換わる時間が異なり、バックライト点灯期間に液晶表示パネルの各走査線の液晶応答の到達度合いが異なるため、画面の位置により、輝度の明暗が発生し、さらにバックライトの点灯タイミングがパネルの線順次走査をまたぐ場合は、動画像が大きくずれるなどの課題があった。
【０００８】
この上記の黒挿入駆動やブリンキングバックライト駆動の課題を解決するため、例えば以下に示す特許文献１、特許文献２、特許文献３などが提案されている。
特許文献１では、図７３に示すように、液晶表示部を照明する照明部１００１は、走査方向に発光する複数の発光領域１００２を有し、これら複数の発光領域１００２を液晶表示部の垂直同期信号に同期して順次スキャン点灯させるスキャニングバックライト駆動が提案されている。  
【０００９】
このスキャニングバックライト駆動では、分割された光源ブロック毎に、液晶表示部の線順次走査に同期して分割したバックライトを順次点滅させるため、各走査線の液晶応答の到達度合いの差は、前述のブリンキングバックライト駆動に比べ少なくなる。
【００１０】
特許文献２のバックライトの構造では、図７４に示すように、異なるタイミングで発光する複数の発光領域１０２１を持つ発光部１０２０を、少なくとも一部が透光材料で形成された仕切り板１０２３により、透光手段１０２５に接触して複数の発光領域１０２１に分割している。そして、その仕切り板１０２３に貼り付けられた反射シール１０２２は、それぞれの発光領域１０２１における発光源１０２４からの光を反射して透光手段１０２５及び液晶パネル１０２６の方向に出射するようしている。
【００１１】
特許文献３の表示制御回路は、スタート信号ＳＴＨＡ、ＳＴＨＢを発生する垂直タイミング制御回路と、信号ＳＴＨＡの制御により複数のＯＣＢ液晶画素を１行ずつ順次駆動して駆動行の画素に階調表示用画素電圧を保持させ、信号ＳＴＨＢの制御により画素を少なくとも１行ずつ順次駆動して駆動行の画素に黒挿入用画素電圧を保持させるゲートドライバ及びソースドライバと、複数の画素を複数のグループに区分するように画素の行に略平行に並べられる複数のバックライト光源を駆動するバックライト駆動部及びインバータ制御回路と、を備える。
インバータ制御回路は、階調表示用画素電圧の保持期間および黒挿入用画素電圧の保持期間の比率に対応する所定デューティ比で複数のバックライト光源を順次点滅させる動作を第１スタート信号ＳＴＨＡに同期して開始させるようにバックライト駆動部を制御する。バックライト駆動部は、バックライト光源に対してそれぞれ駆動電圧を発生する複数（ｍ個）のインバータから成り、インバータ制御回路は、これらインバータをそれぞれ制御するために各々（ｍ個）のパルス幅変調信号ＰＷＭ（ＰＷＭ１〜ＰＷＭｍ）を発生する。
【００１２】
パルス幅変調信号ＰＷＭ１は、図７５に示すように、垂直タイミング制御回路から出力される制御信号のうちの第１および第２スタート信号ＳＴＨＡ、ＳＴＨＢを用いて発生される。第１スタート信号ＳＴＨＡは、１行目のＯＣＢ液晶画素に階調表示用画素電圧を保持させる基準タイミングであり、第２スタート信号ＳＴＨＢは、１行目のＯＣＢ液晶画素ＰＸに黒挿入用画素電圧を保持させる基準タイミングである。  
【特許文献１】特開平１１−２０２２８６号公報
【特許文献２】特開２００７−６６６３４号公報
【特許文献３】特開２００６−９９１００号公報
【発明の開示】
【発明が解決しようとする課題】
【００１３】
しかしながら、特許文献１のスキャニングバックライト駆動では、次のような課題がある。
【００１４】
すなわち、各バックライトの光源ブロックの点滅に時間差があるため、ある光源ブロックの発光が他の光源ブロック領域に漏れ、バックライト消灯が不完全となってしまう、という不具合があった。
【００１５】
図５５乃至図５７に、白表示部を移動した場合の光源ブロック間の光漏れによる消灯状態と動画尾引きを示す。
たとえば、図５６に示すように、光源ブロック間の光漏れがなく、消灯が完全であれば、通常駆動に対し動画尾引きが改善するが、図５７に示すように、光源ブロック間の光漏れにより消灯が完全でないと、動画尾引きがゴースト状に発生し通常駆動よりも動画質が悪化する。  
【００１６】
すなわち、スキャニングバックライト駆動は、各分割光源ブロックのバックライト点灯タイミングが異なるため、光源ブロックエリア間の光漏れによりバックライトの消灯が十分でなくなり、動画像がゴーストの様に２重に見えてしまい、十分な動画改善効果を引き出すことができない、という不具合があった。この不具合を解決するため、特許文献２では光源ブロック間に仕切り板を設けて、光漏れを防止する構造にしている。
【００１７】
しかし、特許文献２のスキャニングバックライト駆動では、上記とは別に以下に示すような不具合を有する。
【００１８】
図５８乃至図６１に、液晶表示パネルの線順次駆動とスキャニングバックライト駆動による動画像を示す。図５８に示すように、通常の駆動では、液晶表示パネルは線順次走査であるため、画面の走査開始ラインから走査終了ラインに向かい、フレーム情報が順次書き換わる。
【００１９】
通常駆動で動画像を表示した場合、人間の目は動画像に追従して動くため、人間の目の移動座標系では走査終了ラインの情報は走査開始ラインの情報に対し、図６０に示すように、動画像の移動速度に比例して変形した像が認識される。液晶表示パネルの走査線数は前述の様に細分化されているため尾引きはあるものの、動画像の変形は連続的であり、全体として違和感はない。
【００２０】
一方、スキャニングバックライト駆動の分割数は、通常パネルの走査線数に比べて当然少ない。これは、液晶表示パネルの表示走査は、ＶＧＡ（Ｖｉｄｅｒｏ  Ｇｒａｐｈｉｃｓ  Ａｒａｙ）で４８０本、ＸＧＡ（Ｅｘｔｅｎｄｅｄ  ＶＧＡ）で７６８本と多数であるのに対し、バックライトの発光領域は、ＣＣＦＬやＬＥＤなどのライトソースの大きさ、インバータなど点灯回路の数量の制約により、数本〜２０本程度となりパネルの走査線と同じ数量を備えることは現実的でないからである。このため、図６１に示すように、スキャニングバックライト駆動は、バックライトの分割光源ブロックの点灯時間の差により、光源ブロックの境界で動画像のずれが発生する。
【００２１】
このような表示に対しては、人間は副尺視力と呼ばれる輪郭が突然不連続にずれる表示を敏感に検知する能力が発達しているため、低速の動画像での微小なずれでも認識してしまい、画質が悪化する、という不具合があった。
【００２２】
さらに、特許文献２の分割光源ブロックを仕切り板で機構的に遮光し光漏れを遮断する構造は、別の不具合がある。
【００２３】
通常バックライトの分割光源ブロック内のライトソースは輝度、色度の個体差が存在し、図６２、図６３に示すように、遮光構造をとらない通常のバックライトの場合、ある程度のライトソースの個体差は均一化するが、図６４、図６５に示すように、完全に光源ブロックを遮光する構造では、ライトソースの個体差がそのまま表示に現れるため、光源ブロック毎の輝度制御、もしくはライトソースの選別等が必要となりコストアップとなる。
【００２４】
このように、エリア間の光漏れをなくすよう遮光板（仕切板）を設けると、動画像に人間の目が随従しているため分割光源ブロックの点灯タイミングの差により、バックライトの分割エリアの境界で動画像がずれて通常の動画ボヤケよりも画質が悪化してしまう、という不具合があった。
【００２５】
さらにまた、機構構造が複雑化すると共に、光源となる冷陰極管（ＣＣＦＬ）などのライトソースの個体ばらつきがそのまま分割光源ブロックの輝度ムラとなるため、各分割光源ブロックのライトソースの輝度制御が必要となり大幅なコストアップとなる、という不具合があった。  
【００２６】
さらに遮光構造は、図６４、図６５に示すように、光漏れは防止できるが、画面に遮光壁の影が現れやすく設計が困難である、という課題があった。
【００２７】
また、スキャニングバックライト駆動の別の不具合を図６６乃至図７２に示す。
バックライトのライトソースとしては、ＣＣＦＬが主流であるが、ＣＣＦＬは色波長により光学応答が異なるという特性を持つ。図６６乃至図７１に、ＣＣＦＬのＲＧＢの各波長の光学応答を示すが、図６８、図７１に示すように、青（Ｂ）の光学応答は急峻であるのに対し、図６７、図７０に示すように、緑（Ｇ）の波長域の光学応答は遅れるため、輝度応答中の光が色付く。この結果、図７２に示すように、スキャニングバックライト駆動は安価なＣＣＦＬをライトソースに用いた場合、動画尾引きが変色してしまい画質が悪化しまうという、という不具合があった。
【００２８】
このように、スキャニングバックライト駆動だけでは、画面一様に動画尾引きを改善できない、という課題があった。
【００２９】
また、特許文献３では、図７５のＯＦＦＳＥＴに示すように、第２スタート信号ＳＴＨＢによる黒挿入信号の書き込み開始と同時に、パルス幅変調信号ＰＷＭ１によりバックライトの消灯が開始される。すなわち、単にバックライトの消灯のタイミングと黒挿入信号のタイミングとを同期させて動画性能を改善しているだけで、種々の条件（例えばバックライトのブロック分割数や、消灯期間と黒挿入期間との関係、液晶表示パネルの透過率応答、バックライト光源の輝度応答など）によって生じる動画像のずれ、ゴースト状の尾引きの発生などについては何ら考慮されていなかった。
【００３０】
本発明は、上記した技術上の種々の課題を解決することを目的としてなされたものであって、その目的とするところは、動画像のずれ、ゴースト状の尾引きの発生等を、光源ブロックの分割数の増大を招くことなく簡単な構成で改善可能な表示パネルの制御装置、液晶表示装置などを提供することにある。
【課題を解決するための手段】
【００３１】
上記目的を達成するため、本発明の表示パネルの制御装置は、表示パネルと、該表示パネルの背面にて線順次走査方向と平行な複数の各光源ブロックを構成する背面光源と、を制御する表示パネルの制御装置であって、前記表示パネルに対して映像表示の走査開始と黒もしくは暗画像の表示走査開始とを特定期間に行うと共に黒もしくは暗画像の挿入駆動を行う黒画像挿入駆動部と、前記黒画像挿入駆動部での前記映像表示又は前記黒もしくは暗画像表示の走査開始のタイミングと同期する同期信号に基づいて、前記光源ブロックの各々の点灯又は消灯の各開始時期のタイミングを設定制御する点灯タイミング制御部と、を含み、前記点灯タイミング制御部は、一の前記光源ブロックの消灯期間が、一の前記光源ブロックに対応する前記表示パネルのブロック領域内の全ての表示ラインについての前記黒もしくは暗画像表示走査の終了時期から、前記ブロック領域内の最初の表示ラインについての前記映像走査の開始時期までの期間以下となる期間条件を満たすように、前記点灯又は消灯の各開始時期を設定制御すると共に、期間条件を満たしつつ、前記黒もしくは暗画像表示走査の開始タイミングから、前記各々の光源ブロックの消灯の開始タイミングを、一定期間ずらし、且つ、前記表示パネルの駆動ライン数をＶｔｏｔａｌ、前記表示パネルの表示ラインである走査線数をＶｄｉｓｐ、ブロック分割された前記光源ブロックのブロック数をＮ、前記黒画像挿入駆動部によるフレーム期間の黒画像挿入率をＸｐ、前記フレーム期間に占める前記消灯期間の比率である消灯率をＸｂとすると、Ｘｂ  ≦  Ｘｐ  −  （Ｖｄｉｓｐ／Ｎ）／Ｖｔｏｔａｌとなる前記黒画像挿入率Ｘｐと前記消灯率Ｘｂとの相関条件を満たす範囲で、前記黒画像挿入率に応じた前記消灯期間及び前記ブロック数に基づいて前記光源ブロックの各々の点灯又は消灯の各開始時期のタイミングを制御することを特徴としている。
【００３２】
本発明の液晶表示装置は、マトリクス状に配置された複数のゲート線及び複数のソース線の各交差部に各々画素が形成された構成の表示パネルと、映像信号に従って映像表示を行う映像部分と、黒もしくは暗画像信号に従って黒もしくは暗表示を行う黒もしくは暗画像部分とが交互に含まれた黒画像挿入映像信号を前記各ソース線に供給するソース線駆動部と、前記複数のゲート線を幾つかの群に分けたゲート線群それぞれに対して設けられ対応する各ゲート線にゲート駆動信号を順次供給する複数のゲート線駆動部と、前記表示パネルの背面部にて線順次走査方向と平行な複数の光源ブロックをブロック単位にて点灯消灯する制御を行う点灯制御部と、前記表示パネルの背面部に配設され、複数の前記光源ブロックを含むバックライトユニットと、前記点灯制御部、前記ゲート線駆動部、及び前記ソース線駆動部を制御する上述の表示パネルの制御装置と、を含み、前記バックライトユニットは、隣接する各前記光源ブロックのブロック境界部に形成され該バックライトユニットの底部より突出する凸部を有し、前記凸部の突出端部と該バックライトユニットの天部との間で、隣接する各前記光源ブロックのブロック境界部を、該ブロック境界部に亘って間隙部として構成することを特徴としている。
【００３３】
本発明の表示パネルの駆動制御方法は、表示パネルに対して映像表示の走査開始と黒もしくは暗画像の表示走査開始とを特定期間に行うと共に黒もしくは暗画像の挿入駆動を行う黒画像挿入駆動ステップと、前記黒画像挿入駆動ステップでの前記映像表示又は前記黒もしくは暗画像表示の走査開始のタイミングと同期する同期信号に基づいて、前記表示パネルの背面部にて線順次走査方向と平行な複数の各光源ブロックの各々の点灯又は消灯の各開始時期のタイミングを設定制御する点灯タイミング制御ステップと、を含み、前記点灯タイミング制御ステップでは、一の前記光源ブロックの消灯期間が、一の前記光源ブロックに対応する前記表示パネルのブロック領域内の全ての表示ラインについての前記黒もしくは暗画像表示走査の終了時期から、前記ブロック領域内の最初の表示ラインについての前記映像走査の開始時期までの期間以下となる期間条件を満たすように、前記点灯又は消灯の各開始時期を設定制御すると共に、期間条件を満たしつつ、前記黒もしくは暗画像表示走査の開始タイミングから、前記各々の光源ブロックの消灯の開始タイミングを、一定期間ずらし、且つ、前記表示パネルの駆動ライン数をＶｔｏｔａｌ、前記表示パネルの表示ラインである走査線数をＶｄｉｓｐ、ブロック分割された前記光源ブロックのブロック数をＮ、前記黒画像挿入駆動ステップによるフレーム期間の黒画像挿入率をＸｐ、前記フレーム期間に占める前記消灯期間の比率である消灯率をＸｂとすると、Ｘｂ  ≦  Ｘｐ  −  （Ｖｄｉｓｐ／Ｎ）／Ｖｔｏｔａｌとなる前記黒画像挿入率Ｘｐと前記消灯率Ｘｂとの相関条件を満たす範囲で、前記黒画像挿入率に応じた前記消灯期間及び前記ブロック数に基づいて前記光源ブロックの各々の点灯又は消灯の各開始時期のタイミングを制御することを特徴としている。
【発明の効果】
【００３４】
本発明によれば、黒画像挿入駆動の連続的な透過率波形の効果を引き出すため、分割された各光源ブロックにおいて、消灯するときは、光源の輝度が高い状態で表示パネルの黒画像挿入駆動を行い、連続的に透過光を遮断したのちに光源を消灯し、点灯するときは、光源を点灯して輝度が高い状態で表示パネルの映像表示駆動を行い、透過光を開放していくことができ、動画引き、輝度効率、コントラストの良好なトータルバランスの良い高画質が可能なるという、関連技術にない優れた表示パネルの制御装置、液晶表示装置、などを提供することができる。  
【発明を実施するための最良の形態】
【００３５】
〔表示パネルの制御装置の基本的構成〕
先ず、表示パネルの制御装置の基本的構成について説明する。本発明の表示パネルの制御装置は、表示パネルと、該表示パネルの背面にて線順次走査方向と平行な複数の各光源ブロックを構成する背面光源と、を制御するものである。この表示パネルの制御装置は、表示パネルに対して映像表示の走査開始と黒画像の表示走査開始とを特定期間に行うと共に黒画像の挿入駆動を行う黒画像挿入駆動部（例えば図１に示す符号５１など）と、前記黒画像挿入駆動部での前記映像表示又は前記黒画像表示の走査開始のタイミングと同期する同期信号に基づいて、前記表示パネルの背面部にて線順次走査方向と平行な複数の各光源ブロックの各々の点灯又は消灯の各開始時期のタイミングを設定制御する点灯タイミング制御部（例えば図１に示す符号５８など）と、を含む構成としている。
【００３６】
この前記点灯タイミング制御部は、一の前記光源ブロックの消灯期間が、一の前記光源ブロックに対応する前記表示パネルのブロック領域内の全ての表示ラインについての前記黒画像表示走査の終了時期から、前記ブロック領域内の最初の表示ラインについての前記映像走査の開始時期までの期間＜例えば図３０に示す  Ｔｖ  ×  Ｘｐ  −  Ｔｖ  ×  （Ｖｄｉｓｐ／Ｎ）／Ｖｔｏｔａｌで示される期間＞以下となる期間条件を満たすように、前記点灯開始時期又は前記消灯開始時期を設定制御するものである。
【００３７】
このような表示パネルの制御装置によれば、黒画像挿入駆動の線順次走査方向に連続的に推移する透過率波形の効果を引き出すため、分割された各光源ブロックにおいて、光源の輝度が高い状態で表示パネルの黒画像挿入駆動を行い、連続的に透過光を遮断したのちに光源を消灯し、点灯するときは、光源を点灯して輝度が高い状態で表示パネルの映像表示駆動を行い、連続的に透過光を開放していくことができる。
【００３８】
これにより、関連技術のスキャニングバックライト駆動で課題となっていた、動画像のずれ、面内の尾引きの改善のムラ、ゴースト状の尾引きの発生等を、バックライトの分割光源ブロック数の増大を招くことなく、簡単な構成で面内一様に動画尾引きを改善することが可能であり、動画引き、輝度効率、コントラストの良好なトータルバランスの良い高画質が実現可能である。  
【００３９】
以下、このような本発明の「表示パネルの制御装置」を、「液晶表示装置」に適用した好適な実施形態の一例について、図面を参照して具体的に説明する。
【００４０】
〔第１の実施形態〕
（液晶表示装置の全体構成）
先ず、本実施形態の特徴的構成である「スキャニングバックライト駆動」を行うための構成及び動作の説明に先立って、液晶表示装置の全体構成及び黒挿入駆動を行うための構成から説明することとする。図１は、本発明における第１実施形態の液晶表示装置の全体の概略構成の一例を示すブロック図である。
【００４１】
本実施形態の液晶表示装置１は、黒挿入駆動及びスキャニングバックライト駆動を行うことが可能なものであり、図１に示すように、液晶表示パネル１０と、この液晶表示パネル１０を駆動するためのゲートドライバ群４４及びソースドライバ群４６と、複数（Ｎ個）のバックライトブロック２２（２２−１〜２２−Ｎ）からなるバックライトユニット２０と、各バックライトブロックの各々の点灯及び消灯をそれぞれ制御するＮ個の点灯制御回路３２（３２−１〜３２−Ｎ）と、前記ゲートドライバ群４４・ソースドライバ群４６・Ｎ個の点灯制御回路３２（３２−１〜３２−Ｎ）を制御するための各種制御信号を生成して各部に供給することで各部の制御を司るタイミングコントローラ５０と、を含んで構成される。
【００４２】
タイミングコントローラ５０は、液晶表示パネル１０において黒挿入駆動を行うための黒挿入駆動部５１と、この黒挿入駆動部５１からの同期信号に基づいてＮ個の点灯制御回路３２（３２−１〜３２−Ｎ）の点灯開始時期及び消灯開始時期のタイミングを各々制御するための各種制御信号（光源ブロック制御信号）を生成する点灯タイミング制御部５８と、を含んで構成される。  
【００４３】
さらに、図１に示すように、液晶表示パネル１０の背面のバックライトユニット２０は、液晶表示パネル１０の線順次走査方向と平行な光源ブロックであるバックライトブロック２２−１〜２２−Ｎに複数分割している。それぞれのバックライトブロック２２−１〜２２−Ｎには、それぞれ点灯制御回路３２−１〜３２−Ｎにより独立に点滅制御可能な構成である。各点灯制御回路３２−１〜３２−Ｎは、黒挿入駆動部５１からの同期信号をもとに点灯タイミング制御部５８により一括して制御する。
【００４４】
このような液晶表示装置１のタイミングコントローラ５０では、黒挿入駆動部５１の後述する走査スタートパルス信号（ＶＳＰ信号）の黒表示用走査スタートパルス（ＶＳＰ＿ｂ）又は映像表示用走査スタートパルス（ＶＳＰ＿ｉ）に同期する同期信号に基づいて、点灯開始時期及び消灯開始時期のタイミングを点灯タイミング制御部５８が制御を行うことによって、黒挿入期間にあわせて消灯期間のタイミングをあわせることができる。
【００４５】
実際には、後述するが、点灯タイミング制御部５８は、互いに隣接する前記各光源ブロックの境界部が間隙部を構成する場合に、一の前記光源ブロックの消灯期間が、一の前記光源ブロックに対応する前記表示パネルのブロック領域内の全ての表示ラインについての前記黒画像表示走査の終了時期から、前記ブロック領域内の最初の表示ラインについての前記映像走査の開始時期までの期間以下となる期間条件を満たすように、前記点灯開始時期及び前記消灯開始時期を制御する。
また、点灯タイミング制御部５８は、前記光源ブロックの消灯開始時期が前記黒画像表示走査の開始タイミングに前記補正定数分加えた時期となるように制御する。
【００４６】
（液晶表示パネルの詳細構成）
図２には、タイミングコントローラ５０の黒挿入駆動部５１、液晶表示パネル１０、ゲートドライバ群４４、ソースドライバ群４６の詳細構成が示されている。
【００４７】
ここで、液晶表示パネル１０のより具体的な構成について説明する。
本第１の実施形態の液晶表示装置１は、図２に示すように、ｊ本（ｊは自然数）で１つのブロックをなすゲート線群がｉ個（ｉは自然数）構成されたゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）（これらをまとめてｉ×ｊ＝ｍ[ｍは自然数]本のゲート線Ｖ１〜Ｖｍとしてもよい）、及びｎ（ｎは自然数）本のソース線Ｈ１〜Ｈｎがそれぞれ交差し格子状に配置されこのゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）とソース線Ｈ１〜Ｈｎとの交差部それぞれに画素４２が形成された構成の液晶表示パネル１０と、各ソース線Ｈ１〜Ｈｎに接続し映像信号又は黒挿入映像信号を供給するソースドライバ４６（４６―１〜４６−ｋ）と、複数のゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）をｉ個の群に分けそのゲート線群それぞれに対して設けられ対応するゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）にゲートオン信号（Ｖｇ）を順次供給する複数のゲートドライバ４４（４４―１〜４４―ｉ）とを含んで構成される。  
【００４８】
図２に示すように、第１群の上からｊ本のゲート線Ｖ（１―１）〜Ｖ（１―ｊ）は、ゲートドライバ４４―１（ゲートドライバ１）に接続され、第２群のｊ＋１本目からｊ＋ｊ本目のゲート線Ｖ（２―１）〜Ｖ（２―ｊ）は、ゲートドライバ４４―２に接続されており、最後の第ｉ群の｛（ｉ―１）ｊ＋１｝本目からｉ×ｊ本目までのゲート線Ｖ（ｉ―１）〜Ｖ（ｉ―ｊ）は、ゲートドライバ４４―ｉに接続されている｛２ｊ＋１本目から（ｉ―１）ｊ本目までについては図示せず｝。
【００４９】
本実施形態では、液晶表示パネル１０は、ＩＰＳなどのノーマリーブラック型、ツイストネマチック（ＴＮ）方式、スーパーツイストネマチック（ＳＴＮ）方式、垂直配向（ＶＡ）方式、面内スイッチング（ＩＰＳ）方式、高分子分散液晶（ＰＤＬＣ）方式、ゲストホスト（ＧＨ）方式、強誘電性（ＦＬＣ）形、複屈折制御（ＥＣＢ）方式、ＯＣＢパネルなど種々の液晶表示パネルであってよい。  
【００５０】
本実施形態における液晶表示パネル１０を形成する画素は、薄膜トランジスタ（ＴＦＴ）のソース電極がソース線Ｈ１〜Ｈｎに接続され、ＴＦＴのゲート電極がゲート線Ｖ（ｉ―１）〜Ｖ（ｉ―ｊ）に接続され、ＴＦＴのドレイン電極が一方のアレイ基板に形成されている画素電極に接続されており、一方のアレイ基板に形成された画素電極と他方の対向基板に形成された共通電極との間に液晶層が封止されている構成である。
【００５１】
液晶表示パネル１０では、画素電極と共通電極との電位差により液晶層の光透過率が制御されて映像表示が行われる。この際、映像信号が画素に書き込まれるときには、ゲート線Ｖ（ｉ―１）〜Ｖ（ｉ―ｊ）を介して伝送されるゲートオン信号（Ｖｇ１〜Ｖｇｍ）がＴＦＴをオン状態にし、これによりソース線Ｈ１〜Ｈｎからの映像信号に応じた階調電圧が画素電極に印加されて、一定の電圧に設定されている共通電極と階調電圧が印加された画素電極との電位差によって液晶層の光透過率を制御し映像信号に基づいた映像表示を実現する。
【００５２】
（黒挿入駆動部の詳細構成）
次に、黒挿入駆動部の詳細構成について説明する。
タイミングコントローラ５０の黒挿入駆動部５１は、入力映像信号に黒画像信号を挿入し映像信号部分と黒画像信号部分とを水平走査期間内に含む黒挿入映像信号を生成し、この黒挿入映像信号をソースドライバ１６へ出力するものである。
【００５３】
黒挿入駆動部５１は、図２に示すように、映像信号に特定の階調表示（例えば黒）などの黒画像信号を一定の割合で挿入して映像信号を黒挿入映像信号に変換する黒挿入信号変換部５２と、この黒挿入信号変換部５２からの黒挿入映像信号に基づいて液晶表示パネル１０における黒挿入駆動制御を行う黒挿入駆動制御部５４と、を含んで構成される。
【００５４】
図３に示すように、１フレーム期間は、ゲート線Ｖ１〜Ｖｍの数（ｍ）と同数分の書込み期間（水平走査期間）に分けられ、入力映像信号の書込み期間に対応する部分をライン画像部分（水平走査期間部分）とすると、黒挿入駆動部５１の黒挿入信号変換部５２は、入力映像信号におけるライン画像部分の相互間に黒画像信号を挿入する機能を有している。
【００５５】
また、黒挿入駆動部５１の黒挿入信号変換部５２は、入力映像信号におけるブランキング期間にも同様に黒画像信号を挿入する機能を有している。図３では、黒挿入駆動部５１の黒挿入信号変換部５２は、ブランキング期間にダミー信号の出力が無い入力映像信号に黒画像信号を挿入する場合を示している。
黒挿入駆動部５１が、各フレーム間のブランキング期間も黒信号の書込みを行い続けることにより、画面の全ての画素で、映像信号の保持時間と黒画像信号の保持時間とが一定となり、保持時間の差による面内輝度差をなくすことができる。
黒挿入信号変換部５２は、黒表示用走査スタートパルス出力のタイミングを動作環境に応じて設定する黒挿入率設定機能を有してよい。この場合、前記黒挿入率設定機能は、入力された前記映像信号に基づいてフレーム期間毎の黒画像挿入率を判定する機能を備え、前記判定された黒画像挿入率に基づいて前記黒表示用走査スタートパルス出力のタイミングを設定することができる。
【００５６】
黒挿入駆動制御部５４では、黒挿入映像信号を各ソースドライバに入力する。また、黒挿入駆動制御部５４では、黒信号の挿入された映像信号と共に、特定の黒挿入率に従ったタイミングで、ドライバの制御信号を生成し、各ゲートドライバ４４、各ソースドライバ４６に入力する。各ゲートドライバ４４、各ソースドライバ４６では、入力された制御信号に従う電圧を液晶表示パネル１０に書き込む。
黒挿入駆動制御部５４は、ソースドライバ４６及びゲートドライバ４４―１〜４４―ｉの動作を制御して、黒挿入駆動の駆動制御を行う。
【００５７】
ソースドライバ４６は、黒挿入映像信号に従ってソース線Ｈ１〜Ｈｎにライン映像像部分と黒画像部分を交互に出力することでソース線駆動手段として機能している。
【００５８】
ここで、本第１の実施形態では、黒挿入駆動制御部５４によって生成された黒挿入映像信号をソースドライバ４６が入力しソース線Ｈ１〜Ｈｎへ出力するように構成している。
【００５９】
（黒挿入駆動制御部の機能）
次に、黒挿入駆動制御部５４の機能について説明する。
黒挿入駆動制御部５４は、ゲートドライバ４４（４４―１〜４４―ｉ）におけるゲート出力の開閉を制御するための出力イネーブル信号をゲートドライバ４４（４４―１〜４４―ｉ）へ個別に供給する機能を有している。具体的には、黒挿入映像信号のライン画像部分がソース線Ｈ１〜Ｈｎに供給されている期間のみゲートオン信号の出力を有効にさせる映像表示用イネーブル信号（ＶＯＥ＿ｉ）、または、黒挿入映像信号の黒画像部分がソース線Ｈ１〜Ｈｎに供給されている期間のみゲートオン信号の出力を有効にさせる黒表示用イネーブル信号（ＶＯＥ＿ｂ）をゲートドライバ１４（１４―１〜１４―ｉ）へ個別に供給する機能を有している。
【００６０】
これにより、ゲートドライバ４４（４４―１〜４４―ｉ）のそれぞれは、接続されたゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）に対する出力を一括して制御できる機能を有する。
【００６１】
具体的には、黒挿入駆動制御部５４からのＶＯＥ＿ｉに応じてゲートオン信号を黒挿入映像信号のライン画像部分のみを画素に書き込ませるパルス幅の映像表示用ゲートオン信号にしてゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）に順次供給し映像表示走査を順次実行する映像表示手段としての機能と、ＶＯＥ＿ｂに応じてゲートオン信号を黒挿入映像信号の黒画像部分のみを画素に書き込ませるパルス幅の黒表示用ゲートオン信号にしてゲート線Ｖ（１―１）〜Ｖ（１―ｊ）、Ｖ（２―１）〜Ｖ（２―ｊ）、・・・、Ｖ（ｉ―１）〜Ｖ（ｉ―ｊ）に順次供給して黒画像表示走査を順次実行する黒表示手段としての機能とを有している。
【００６２】
また、黒挿入駆動制御部５４は、ゲートドライバ４４―１に対して、映像信号書込みのための映像表示用走査スタートパルス（ＶＳＰ＿ｉ）と、黒画像信号書込みのための黒表示用走査スタートパルス（ＶＳＰ＿ｂ）とを１フレーム期間に異なるタイミングで１回ずつ出力する機能を有している。
【００６３】
黒挿入駆動制御部５４は、映像表示走査の開始時にＶＳＰ＿ｉをゲートドライバ４４―１へ出力し同時にゲートドライバ４４−１へＶＯＥ＿ｉの供給を開始する。そして、ゲートドライバ４２―１において映像表示走査が終了すると、ゲートドライバ４４―１へＶＯＥ＿ｂの供給を開始し、黒画像表示走査を開始するタイミングにＶＳＰ＿ｂをゲートドライバ４４―１へ出力する。
【００６４】
ゲートドライバ４４―１は、特定の黒挿入率にて設定されたタイミングに黒挿入駆動制御部５４からＶＳＰ＿ｂを入力し、予め供給されているＶＯＥ＿ｂに基づいてＶＳＰ＿ｂを黒表示用ゲートオン信号としてゲート線Ｖ１〜Ｖｊへ順次供給し、この走査が終了するとＶＳＰ＿ｂをゲートドライバ４４―２へシフト出力する。このような走査をゲートドライバ４４（４４―１〜４４―ｉ）が順次行うことで、１フレーム毎の特定の黒挿入率による黒画像挿入を実現する。
【００６５】
また、黒挿入駆動制御部５４は、ソースドライバ４６に対して黒挿入映像信号（ｄａｔａ）と共に、ソースドライバ４６を駆動制御するための信号である信号スタートパルス（ＨＳＰ）、水平クロック信号（ＨＣＫ）、ラッチ信号（ＤＬＰ）、極性反転制御信号（ＰＯＬ）を供給し、ゲートドライバ４２―１〜４２―ｉに対してゲートドライバ４２―１〜４２―ｉを駆動制御するための信号である走査スタートパルス（ＶＳＰ＿ｉ又はＶＳＰ＿ｂ）、垂直クロック信号（ＶＣＫ）、イネーブル信号（ＶＯＥ＿ｉ又はＶＯＥ＿ｂ）を供給している。
【００６６】
ソースドライバ４６は、一般に使われているものと同様な機能を有している。例えば、ＨＳＰの入力により黒挿入映像信号（ｄａｔａ）の取り込みを開始し、ＨＣＫと同期して内部のシフトレジスタに黒挿入映像信号（ｄａｔａ）を順次蓄積していく。そして、データラッチパルスＤＬＰの入力により黒挿入映像信号（ｄａｔａ）を確定し、同時に極性反転制御信号（ＰＯＬ）に応じて基準電圧からの正負を確定して、黒挿入映像信号（ｄａｔａ）に応じた階調電圧をソース線Ｈ１〜Ｈｎに出力する。
【００６７】
極性反転制御信号（ＰＯＬ）は、ソースドライバ４６からソース線Ｈ１〜Ｈｎへ出力される階調電圧の極性（基準電圧からの正負）を確定させる制御信号である。
【００６８】
黒挿入駆動制御部５４は、極性反転制御信号（ＰＯＬ）を制御して、ドット反転や１Ｈ２Ｖ反転駆動などのフレーム極性反転駆動を実行し、ライン画像部分（映像信号）の書込み極性は、図６に示すように、ＶＳＰ＿ｉ基点のフレーム周期で反転させる機能（映像信号極性反転機能）と、黒画像部分（黒画像信号）の書込み極性は、ＶＳＰ＿ｂ基点のフレーム周期で反転させる機能（黒画像信号極性反転機能）を含む。    
【００６９】
このような構成とすることで、画面中央付近での反転の順序逆転を防ぐことができ、表示パネル１面内のフィールドスルーのばらつきや、印加電圧の正負のばらつきによって発生する、極性反転の切り替わるラインを境にした表示輝度差や焼きつきをなくすことができる。また、この構成は、黒挿入駆動制御部２４が黒信号反転用のカウンタを独立して装備するだけでよいので、コストアップにもならず黒挿入率の切り替えに対し柔軟な対応が可能である。  
【００７０】
（液晶表示装置の全体の概略動作）
以上のような構成からなる液晶表示装置１は、概略以下のように動作する。すなわち、タイミングコントローラ５０に映像信号が入力されると、黒挿入駆動部５１の黒挿入信号変換部５２は、例えばフレーム毎のデータ数に応じて映像信号の黒挿入率を設定しつつ、前記黒挿入率に基づいて映像信号に一定の割合で黒画像信号もしくは暗画像信号を挿入して黒挿入映像信号を生成し、黒挿入映像信号を黒挿入駆動制御部５４に入力する。
この際、黒挿入信号変換部５２は、前記映像信号の書込期間に対応する映像表示部分と前記黒画像信号の書込期間に対応する黒表示部分とが特定期間内に交互に含まれた黒挿入映像信号を生成する。  
【００７１】
黒挿入駆動制御部２４は、所定のタイミングでドライバの制御信号を生成し、各ゲートドライバ４４（４４―１〜４４―ｉ）、ソースドライバ４６に入力する。
例えば、黒挿入駆動制御部２４は、黒挿入映像信号を、ソースドライバ４６を介して液晶表示パネル１０のソース線Ｈ１〜Ｈｎに供給して、液晶表示パネル１０の表示駆動制御を行う。  
各ゲートドライバ４４（４４―１〜４４―ｉ）、ソースドライバ４６は、入力された制御信号に従い液晶表示パネル１０に映像信号、黒画像信号を交互に出力する。
【００７２】
また、黒挿入駆動部５１では、ドライバの制御信号と共に、液晶表示パネル１０に、黒画像信号を出力するサイクルに同期した同期信号を生成し、点灯タイミング制御部５８に入力する。
【００７３】
一方、液晶表示パネル１０の背面には、バックライトユニット２０が構成される。バックライトユニット２０は、液晶表示パネル１０の線順次走査方向と平行な方向に複数のバックライトブロック２２―１〜２２―Ｎを構成している。バックライトブロック２２―１〜２２―Ｎは、光源（ライトソース）をブロック分割したものである。各バックライトブロック２２―１〜２２―Ｎは、各々独立して点滅可能で、各バックライトブロック２２―１〜２２―Ｎ間は、少なくとも隣接する各バックライトブロック２２―１〜２２―Ｎへの光が到達する構造である。  
点灯タイミング制御部５８では、入力された同期信号に基づいてバックライトユニット２０の各バックライトブロック２２―１〜２２―Ｎの制御信号（光源ブロック制御信号）を生成し、バックライトユニット２０の各バックライトブロック２２―１〜２２―Ｎの各点灯制御回路３２―１〜３２―Ｎに入力する。
【００７４】
点灯制御回路３２―１〜３２―Ｎは、入力された制御信号（光源ブロック制御信号）に従い、それぞれバックライトブロック２２―１〜２２―Ｎを点滅させる。
【００７５】
（制御処理手順について）
次に、上述のような構成を有する本実施形態の液晶表示装置における黒挿入駆動及びスキャニングバックライト駆動における液晶表示装置の各種の制御処理手順について、[１]「黒挿入駆動制御処理」から説明し、続いて、[２]「スキャニングバックライト駆動制御処理」の詳細処理について説明することとする。    
【００７６】
[１]黒挿入駆動制御処理
ここで、黒挿入駆動部５１において生成される制御信号による液晶表示パネルの黒挿入駆動の動作のより具体的な駆動制御手順について、「タイミングコントローラの制御処理」、「ソースドライバの黒挿入映像信号＜ｄａｔａ＞の入出力制御」、「ゲートドライバでの選択制御」、「黒挿入のタイミング制御」、「走査時のドライバ側の詳細処理」の順に、図１乃至図７を参照しつつ説明する。  
【００７７】
（タイミングコントローラの制御処理）
まず、図２に示す通り、入力された映像信号は、タイミングコントローラ５０の黒挿入駆動部５１の黒挿入信号変換部５２に送られる。  
【００７８】
そして、タイミングコントローラ５０は、黒挿入信号変換部５２により、入力された映像信号を基にフレーム期間毎の黒画像挿入率が判定され設定する＜黒挿入率設定ステップ＞。  
【００７９】
次に、タイミングコントローラ５０は、黒挿入信号変換部５２により、特定の黒挿入率に基づいて、映像信号のライン間に、黒画像信号を挿入した黒挿入映像信号を生成し、黒挿入駆動制御部５４に入力する＜黒挿入映像信号生成ステップ＞。
【００８０】
そして、タイミングコントローラ５０は、黒挿入駆動制御部５４により、黒挿入映像信号と共に、予め設定した黒挿入率に従ったタイミングでドライバの各種制御信号を生成する。    
【００８１】
また、タイミングコントローラ５０は、黒挿入駆動制御部５４により、黒挿入映像信号＜ｄａｔａ＞や各種制御信号をソースドライバ４６に供給し、他の各種制御信号をゲートドライバ４４―１〜４４―ｉに供給することにより、液晶表示パネル１０において、映像表示を行う際に黒挿入駆動を行うことになる＜黒挿入映像信号供給ステップ＞。  
【００８２】
この際、黒挿入駆動制御部５４から各ソースドライバ４６へ黒挿入映像信号が出力されると、これに同期して各種駆動制御信号がゲートドライバ４４―１〜４４―ｉ及び各ソースドライバ４６へ出力される。  
【００８３】
（ソースドライバの黒挿入映像信号＜ｄａｔａ＞の入出力制御）
図３に示すように、ソースドライバ４６（４６−１）には、映像信号のライン間に黒信号のラインを挿入した黒挿入映像信号（ｄａｔａ）と、前記黒挿入映像信号（ｄａｔａ）の映像信号のラインである映像ライン、及び黒信号のラインである黒ラインを確定させて出力させるデータラッチパルス（ＤＬＰ）とを入力する。
ソースドライバ４６（４６―１）は、入力された黒挿入映像信号をデータラッチパルス（ＤＬＰ）に従い、液晶表示パネルのソース線Ｈ１〜Ｈｎに１Ｈ期間で映像信号、黒信号を交互に出力する。  
【００８４】
（ゲートドライバでの選択制御）
黒挿入駆動において、図２に示すように、ゲートドライバ４４は、ゲートドライバ４４（４４―１）、ゲートドライバ４４（４４―２）のように、一括してゲート出力をイネーブルできるゲートドライバ４４―１〜４４―ｉを少なくとも２個以上使用する。ゲートドライバ４４―１〜４４―ｉは、黒挿入駆動制御部５４からの独立した出力イネーブル信号（ＶＯＥ＿ｉ又はＶＯＥ＿ｂ）により制御される。  
ゲートドライバ４４―１〜４４―ｉは、入力された制御信号に従い順次１ラインの画素を選択していき、液晶表示パネル１０に映像信号又は黒画像信号を選択に応じて出力する。
【００８５】
より具体的には、図４、図５に示すように選択制御を行う。図４、図５は、本実施形態の液晶表示装置を伝搬する信号のタイミングチャートである。
【００８６】
図４は、ゲートドライバ４４―１[ゲートドライバ（１）]に対応するゲート線Ｖ１−１〜Ｖ１−ｊ上の画素にライン映像信号を供給し、ゲートドライバ４４―２[ゲートドライバ（２）]に対応するゲート線Ｖ２−１〜Ｖ２−ｊ上の画素にライン黒画像信号を供給する場合を例にしたタイミングチャートである。      
図５は、図４とは逆に、ゲートドライバ４４―１[ゲートドライバ（１）]に対応するゲート線Ｖ１−１〜Ｖ１−ｊ上の画素に黒画像信号を供給し、ゲートドライバ４４―２[ゲートドライバ（２）]に対応するゲート線Ｖ２−１〜Ｖ２−ｊ上の画素にライン映像信号を供給する場合を例にしたタイミングチャートである。
【００８７】
図４に示すように、対応するゲート線Ｖ１−１〜Ｖ１−ｊ上の画素にライン映像信号を供給する場合のゲートドライバ４４―１[ゲートドライバ（１）]には、ＶＯＥ＿ｉが入力される。これにより、ゲートドライバ４４―１[ゲートドライバ（１）]からは、ゲートオン信号（Ｖｇ１（ｘ＋１）、Ｖｇ１（ｘ＋２）、・・・）が、ソースドライバ４６のライン画像信号出力期間と同一のパルス幅の映像表示用ゲートオン信号に変換されてゲート線Ｖ１−１〜Ｖ１−ｊに順次供給される。  
【００８８】
図４に示すように、１Ｈ期間にゲートドライバ（１）のいずれかのラインに映像信号、ゲートドライバ（２）のいずれかのラインに黒画像信号を書込む場合は、ゲートドライバ（１）には、ソースドライバ４６が黒を出力する期間、ゲートをＯＦＦする映像書き込み用のイネーブル信号（ＶＯＥ_ｉ）を入力し、ゲートドライバ（２）には、ソースドライバ４６が映像を出力する期間、ゲートをＯＦＦする黒書き込み用のイネーブル信号（ＶＯＥ_ｂ）を入力する。    
【００８９】
一方で、ゲート線Ｖ２−１〜Ｖ２−ｊ上の画素に黒画像信号を供給する場合のゲートドライバ４４―２[ゲートドライバ（２）]には、ＶＯＥ＿ｂが入力される。これにより、ゲートドライバ４４―２[ゲートドライバ（１）]からは、ゲートオン信号（Ｖｇ２（ｙ＋１）、Ｖｇ２（ｙ＋２）、・・・）が、ソースドライバ４６の黒画像信号出力期間と同一のパルス幅の黒表示用ゲートオン信号に変換されゲート線Ｖ２−１〜Ｖ２−ｊに順次供給される。
【００９０】
図５に示すように、１Ｈ期間にゲートドライバ（１）のいずれかのラインに黒画像信号、ゲートドライバ（２）のいずれかのラインに映像信号を書き込む場合は、ゲートドライバ（１）に黒書き込み用のイネーブル信号（ＶＯＥ_ｂ）を入力し、ゲートドライバ（２）に映像書き込み用のイネーブル信号（ＶＯＥ_ｉ）を入力する。
【００９１】
このようにすることで、本第１実施形態では、１Ｈ期間（１水平走査期間）に、異なるラインに対して映像信号と黒画像信号とを書き込むことができる。  
【００９２】
（黒挿入のタイミング制御）
次に、映像信号と黒画像信号を書き込む手法を用いた、黒挿入のタイミング制御の詳細を説明する。図６は、本第１の実施形態による液晶表示装置による黒挿入駆動の一例を説明するための説明図であり、ゲートドライバを３個使用した場合の黒挿入の詳細である。
【００９３】
図６に示すように、本実施形態は、１フレーム期間内に少なくとも１回の映像信号書込みのための第１のゲートドライバの映像表示用走査スタートパルス（ＶＳＰ＿ｉ）入力と、少なくとも１回の黒画像信号書込みのための第２のゲートドライバの黒表示用走査スタートパルス（ＶＳＰ＿ｂ）入力を行う。        
【００９４】
映像表示用走査スタートパルス（ＶＳＰ_ｉ）は、フレームの開始に入力し、ゲートドライバのクロック信号（ＶＣＫ）により、画面のラインをシフトしながら、液晶表示パネル１０の画素を１ラインずつ順次選択していく。  
【００９５】
さらにこの間、各ゲートドライバには、そのゲートドライバにつながるラインが映像用スタートパルス（ＶＳＰ_ｉ）のシフトにより選択されている期間は、映像書込み用のイネーブル信号（ＶＯＥ_ｉ）を入力する。
【００９６】
一方、黒表示用走査スタートパルス（ＶＳＰ_ｂ）は、決定した黒挿入率（Xｐ）に従い、映像用スタートパルス（ＶＳＰ_ｉ）から下式に示す時間遅らして入力する。
Ｔｐ  ＝  Ｔｖ  ×  （１−Ｘｐ）        
Ｔｖ  ：  フレーム周期  ［ｓ］
【００９７】
入力した黒表示用走査スタートパルス（ＶＳＰ_ｂ）は、映像表示用走査スタートパルス（ＶＳＰ_ｉ）と同じくゲートドライバのクロック信号（ＶＣＫ）により画面のラインをシフトしながら、液晶表示パネルの画素を１ラインずつ順次選択していく。
この間、各ゲートドライバには、そのゲートドライバに繋がるラインが黒表示用走査スタートパルス（ＶＳＰ_ｂ）のシフトにより選択されている期間中、黒書込み用のイネーブル信号（ＶＯＥ_ｂ）を入力する。
【００９８】
このような構成とすることで、画面表示は、図７（Ｂ）に示すように、１フレーム間に画面を黒帯がスクロールし、黒帯の幅を変化することで黒挿入率（Xｐ）を調整できる黒挿入駆動が実現できる。
この黒帯の幅は、映像表示用走査スタートパルス（ＶＳＰ＿ｉ）入力に対する黒表示用走査スタートパルス（ＶＳＰ＿ｂ）入力のタイミングによって決定する。
【００９９】
黒表示用走査スタートパルス（ＶＳＰ_ｂ）は、図６に示すように、１つのゲートドライバで同時に映像信号と黒画像信号の画素ラインが選択されることのないタイミングであれば、任意のタイミングで入力可能である。このため、黒挿入率は、微細な調整が可能であり、黒画像挿入のメリットである動画ボケを改善する効果とデメリットである輝度低下のバランスとを勘案し、使用環境に応じた最適な黒挿入率を設定することができる。
【０１００】
また、本実施形態の黒挿入駆動は、液晶表示パネルの線順次走査は通常駆動と同じであるが、フレームメモリが不要な構成であり低コストで構成可能である。  
【０１０１】
（走査時のドライバ側の詳細処理）
次に、いま述べた黒挿入のタイミングに従い、複数のゲートドライバが順次選択していく制御は以下のようになる。
【０１０２】
図６に示すように、ゲートドライバ４４―１[ゲートドライバ（１）]には、フレームの開始を示すＶＳＰ＿ｉがＶＯＥ＿ｉと共に黒挿入駆動部５１から入力される（映像用スタートパルス入力工程）。
このＶＳＰ＿ｉは、同様に入力されたクロック信号（ＶＣＫ）に同期してゲートオン信号としてゲート線Ｖ１−１〜Ｖ１−ｊをシフトしていき、各ゲート線Ｖ１−１〜Ｖ１−ｊ上の画素４２のＴＦＴをＯＮにしていく。この間、ゲートドライバ４４―１[ゲートドライバ（１）]には、ＶＯＥ＿ｉが入力されている。  
【０１０３】
続いて、ゲートドライバ４４―１[ゲートドライバ（１）]での走査が終了すると、ＶＳＰ＿ｉがゲートドライバ４４−２[ゲートドライバ（２）]にシフト入力され、この入力と同時にＶＯＥ＿ｉが黒挿入駆動部５１からゲートドライバ４４―２[ゲートドライバ（１）]に入力される。  
ゲートドライバ４４―２[ゲートドライバ（２）]では、ＶＳＰ＿ｉがゲートオン信号として対応するゲート線Ｖ２−１〜Ｖ２−ｊをシフトしていき、このシフトしていく期間は、ゲートドライバ４４―２[ゲートドライバ（２）]においてもＶＯＥ＿ｉが入力されている。
【０１０４】
その後、同様にして、ゲートドライバ４４―ｉ[ゲートドライバ（ｉ）]にＶＳＰ＿ｉがシフト入力され、同時にＶＯＥ＿ｉが黒挿入駆動部５１から入力される。
ゲートドライバ４４―ｉ[ゲートドライバ（ｉ）]においてもＶＳＰ＿ｉがゲートオン信号として対応するゲート線Ｖｉ―１〜Ｖｉ―ｊをシフトしていき、このシフトしていく期間は、ＶＯＥ＿ｉが入力されている（映像走査ステップ）。
また、この期間以外のゲートドライバ４４―１〜４４―ｉには、ＶＯＥ＿ｂが入力されている。
【０１０５】
また、特定の黒挿入率にて決定されたタイミングに従って、フレーム期間内に一回、ゲートドライバ４４―１[ゲートドライバ（１）]に黒挿入駆動部５１からのＶＳＰ＿ｂが入力される（黒表示用走査スタートパルス入力ステップ）。
同じくゲートドライバ４４―１[ゲートドライバ（１）]のクロック信号（ＶＣＫ）によりＶＳＰ＿ｂがゲートオン信号として対応するゲート線Ｖ１−１〜Ｖ１−ｊをシフトし各ゲート線Ｖ１〜Ｖｉ上の画素のＴＦＴをＯＮにしていく。このような黒画像表示走査の間、ゲートドライバ４４―１[ゲートドライバ（１）]には、ＶＯＥ＿ｂが入力されている。  
【０１０６】
ゲートドライバ４４―１[ゲートドライバ（１）]での黒画像表示走査が終了すると、ＶＳＰ＿ｂがゲートドライバ４４―２[ゲートドライバ（２）]にシフト入力され、ＶＳＰ＿ｂがゲートオン信号として対応するゲート線Ｖ２−１〜Ｖ２−ｊをシフトしていく。このシフトしている期間は、ゲートドライバ４４―２[ゲートドライバ（２）]においてもＶＯＥ＿ｂが入力されている。
その後、同様にして、ＶＳＰ＿ｂがゲートドライバ４４―ｉ[ゲートドライバ（ｉ）]にシフト入力され、ゲートドライバ４４―ｉ[ゲートドライバ（ｉ）]での黒画像表示走査が開始される＜黒走査ステップ＞。
【０１０７】
[２]スキャニングバックライト駆動制御処理
次に、本実施形態の特徴であるスキャニングバックライト駆動の詳細について説明するが、その前に前提となる「バックライトユニットの内部構成」について簡単に説明し、続いて「バックライトブロックの点灯制御」、「各パラメータの最適設定値」の順に説明する。  
【０１０８】
（バックライトユニットの内部構成）  
図８乃至図９に、本実施形態のバックライトユニットの内部構成を示す。バックライトユニット２０は、図８に示すように、ブロック分割された複数のバックライトブロック（光源ブロック）２２−１〜２２−Ｎを有する。各バックライトブロック２２−１〜２２−Ｎは、液晶表示パネル１０の線順次走査方向と平行に配列されている。
【０１０９】
このバックライトユニット２０の断面構造を図９に示す。図９は、図８に示すバックライトユニット２０のＡ−Ａ’断面図である。
図９に示すように、液晶表示パネル１０の背面側（背面部）には、液晶表示パネル本体を構成する基板部１２と対向してバックライトユニット２０が形成されている。基板部１２は、透明基板にて形成され、バックライトユニット２０からの光を透過する。基板部１２は、液晶表示パネル本体側のアレイ基板又は対向基板のいずれであってもよい。
【０１１０】
バックライトユニット２０は、基板部１２側の天部２８に亘って光拡散部１４を有する。光拡散部１４は、例えば拡散板、拡散シート、レンズシートなどにて形成される。光拡散部１４は、これらのシートが重ねて配置した構成とすることが好ましい。光拡散部１４のシート構成は、所望の表示性能にあわせて選択することができる。また、バックライトユニット２０は、基板部１２側と反対側の面の底部２９に亘って光反射部１６を有する。光反射部１６は、例えば反射シートなどにて形成される。
【０１１１】
一つのバックライトブロック２２−１には、光反射部１６上に複数の光源２４、２５が形成されている。図９の例では、一つのバックライトブロック２２−１に形成される光源の数は２個であるが、これらの個数は制限されるものではない。光源２４は、例えばＣＣＦＬやＬＥＤなどにて構成することができる。一つのバックライトブロック２２−１に含まれる光源２４・２５は、一括して点滅制御が行われる。
【０１１２】
ここで、各バックライトブロック２２−１〜２２−Ｎのブロック境界部２７の構造は、少なくとも隣接するバックライトブロックの光が到達する構造であればよく、本実施形態では、図９に示すように、平坦な光反射部１６上に光源２４を配置した、各バックライトブロックのブロック境界部２７に凸状構造物がない、間隙部２６を有する構造である。
【０１１３】
このような構造の場合、図１０に示すように、各バックライトブロック２２−１〜２２−Ｎを単独に点灯させた時に隣接するバックライトブロックに点灯ブロックからの光が漏れる構造である。
【０１１４】
（バックライトブロックの点灯制御）
図１１、図１２に、本実施形態のスキャニングバックライト駆動の各光源ブロックの点灯制御の詳細を示す。
バックライトの点灯制御は、図１２に示すように、それぞれのバックライトブロックの前面に位置する液晶表示パネル領域に黒画像信号が走査される時間にあわせ、バックライトブロック毎に時間をずらし順次点灯、消灯を行う。
【０１１５】
例えば、図１３に示すように、前述した黒表示用走査スタートパルス（ＶＳＰ_b）を基準として同期信号を生成し、この同期信号に基づいたＢＬ制御信号により点灯タイミング制御を行う。この際、液晶表示パネルの線順次走査方向に、書き込み開始側から（ｎ）番目のバックライトブロックの消灯開始時間（ΔＴｂ（ｎ））は、光源の輝度応答と液晶表示パネルの透過率応答のずれ（τ）と、ブロック分割されたバックライトブロックのブロック数（Ｎ）をパラメータとして下式とすればよい。
【０１１６】
ΔＴｂ（ｎ）  ＝  τ  ＋  Ｔｖ  ×  （Ｖｄｉｓｐ／Ｎ）／Ｖｔｏｔａｌ  ×  ｎ
液晶表示パネル駆動ライン数  ：  Ｖｔｏｔａｌ［Ｈ］
液晶表示パネル表示ライン数  ：  Ｖｄｉｓｐ［Ｈ］
フレーム周期  ：  Ｔｖ［ｓ］
【０１１７】
また、各バックライトブロックの消灯期間（Ｔｂ）は、バックライトの消灯率（Ｘｂ）により下式となる。
Ｔｂ  ＝  Ｔｖ  ×  Ｘｂ
【０１１８】
ここで、本実施形態では、バックライトの同期信号として黒表示用走査スタートパルス（ＶＳＰ_b）を基準として用いたが、映像表示用走査スタートパルス（ＶＳＰ_ｉ）を基準として用いても実現可能である。
【０１１９】
次に、前述の黒挿入駆動と、スキャニングバックライトを用いた本実施形態の液晶表示装置を説明する。
【０１２０】
図１４乃至図１６に、関連技術の遮光構造のスキャニングバックライト駆動と、本実施形態の隣接するバックライトブロックに光が漏れる構造のスキャニングバックライト駆動の画面各部の輝度波形を示す。
【０１２１】
図１４に示すように、バックライトブロック間を完全に遮光した場合のスキャニングバックライト駆動では、スキャニングバックライト駆動の輝度波形は、各バックライトブロックの境界部で段差が発生し、この結果、バックライトブロックの境界部で動画像のずれが発生する。
【０１２２】
図１５、図１６に、本実施形態の液晶表示装置において、隣接する光源ブロックへの光が到達する構造の一例を示す。
図１５、図１６に示すように、隣接するバックライトブロックへの光漏れにより消灯不足となるものの、バックライトブロックのブロック数（分割数）を増して細分化するにつれ、バックライトブロック間の輝度格差が緩和する。
【０１２３】
図１７、図１８に、黒挿入駆動を行った構成である液晶表示装置の画面各部の輝度波形、スキャニングバックライトに黒挿入駆動を行った構成である液晶表示装置の画面各部の輝度波形を示す。
【０１２４】
図１７は、本実施形態の液晶表示装置において黒挿入駆動のみによる画面各部の透過率波形である。  
また、前述した本実施形態のスキャニングバックライトを光源として、タイミングを合わせて黒挿入駆動を実施すると（スキャニングバックライト駆動に黒挿入駆動を組み合わせると）、本実施形態の液晶表示装置では、図１８に示すような輝度分布となる。  
【０１２５】
図１７、図１８に示す通り、前述したスキャニングバックライト駆動の、隣接するバックライトブロックへの光漏れによる消灯不足は、黒挿入駆動のパネル透過率が最低となるタイミングに合わせることで完全に消灯した状態とすることができる。
【０１２６】
さらに、前述の隣接するバックライトブロックへの光が漏れる構造のスキャニングバックライト駆動だけでは、バックライトブロック間の輝度段差は緩和したものの未だ存在したのに対し、黒挿入駆動の連続的な透過率波形を重ね合わせることにより、走査方向に連続的に推移することがわかる。
【０１２７】
図２１に、本第１の実施形態の動画像を示す。
本実施形態の構成は、関連技術のスキャニングバックライト駆動のような、動画ずれを引き起こすバックライトブロック間の輝度格差を、隣接するバックライトブロックへの光が到達するよう間隙部２７を有する構造としたため緩和し、さらに黒挿入駆動の連続的な透過率波形を重ね合わせる構成とすることで、走査方向に連続的な波形になる。このため、図２０に示すような関連技術のスキャニングバックライト駆動のような動画のずれは発生しない。
【０１２８】
また、バックライトブロック間の光漏れによる消灯不足を、同じく黒挿入駆動の透過率が最低レベルとなる時間とタイミングを合わせることにより、消灯時の輝度レベルを低くすることが可能となる。このため、図１９に示すような関連技術のスキャニングバックライト駆動のような、ゴーストの発生がなくなる。
よって、図２１に示すように、面内全体で均一に動画尾引きが改善することが可能である。  
【０１２９】
さらにまた、ＣＣＦＬの場合に発生する動画尾引きの色つきも、スキャニングバックライト駆動の色つきが発生する時間帯も黒挿入駆動のパネル透過率が最低となるようにパラメータを設定することで、軽減させることが可能となり、ライトソースの種別を問わず適用可能である。
【０１３０】
また、遮光構造を排したため、ライトソースの個体差による表示ムラも軽減し、バックライトブロック毎のライトソースの輝度制御が通常駆動と同様に不要となり、遮光構造がなくなるため部品点数も削減され、遮光壁の影による表示暗線も発生しなくなる。さらに、本実施形態では、バックライトのブロック数（分割数）は実現可能な分割数で構成可能となる。
【０１３１】
以上のように本実施形態では、消費電力増加、コントラスト低下、輝度ムラ発生、動画ずれ発生等の画質低下を軽減し、動画尾引きを改善し、安価な構成で総合的に優れた表示装置が構成可能となる。
【０１３２】
（各パラメータの最適設定値について）
以下に、本実施形態の各パラメータの詳細について記載する。
【０１３３】
本実施形態では、前述したように、黒挿入駆動の黒挿入率（Ｘｐ）、スキャニングバックライト駆動の分割数（Ｎ）、該バックライト駆動の消灯率（Ｘｂ）、およびバックライトの輝度応答と液晶表示パネルの透過率応答の補正定数（τ）をパラメータとして、黒挿入駆動の表示パネルの電気光学応答（例えば液晶表示パネルの透過率応答など）、スキャニングバックライト駆動の光源の輝度応答、黒挿入駆動の線順次走査の速度にあわせて最適化することで、最大の効果を発揮する。
【０１３４】
ここで、液晶表示パネルにＩＰＳモード、スキャニングバックライト駆動の光源にＣＣＦＬを使用した場合の最適設定値とその結果を図２２乃至図２６に示す。  
【０１３５】
図２２、図２３は、バックライトブロックのブロック数（分割数：Ｎ）は、８分割とし、黒挿入率（Ｘｐ）は、０．５とした場合の条件で、補正定数（τ）を変化させた時の動画尾引き（ＭＰＲＴ）を示す図である。
【０１３６】
図２４は、白輝度、図２５、図２６は、白表示のホワイトバランスである。それぞれの計測ポイントは、補正定数（τ）による画質変化が大きいスキャニングバックライトのブロック境界部で行ったものである。
【０１３７】
図２２乃至図２６に、例としてバックライトの消灯率（Ｘｂ）が０．３７５のときの補正定数（τ）の最適値を示す。
図２２に示すように、黒表示から白表示の場合において、消灯率（Ｘｂ）＝０．３７５の場合、補正定数（τ）が最適値のときＭＰＲＴが最小となる。また、図２３に示すように、白表示から黒表示の場合において、消灯率（Ｘｂ）＝０．３７５の場合、補正定数（τ）が最適値のときＭＰＲＴが最小となる。
さらに、図２４に示すように、消灯率（Ｘｂ）＝０．３７５の場合、補正定数（τ）が最適値のとき白輝度は最大となる。また、図２５に示すように、消灯率（Ｘｂ）＝０．３７５の場合、補正定数（τ）が最適値のときホワイトバランス（ｘ）の変化は小さくなる。さらにまた、図２６に示すように、消灯率（Ｘｂ）＝０．３７５の場合、補正定数（τ）が最適値のときホワイトバランス（ｙ）の変化は小さくなる。
このように、補正定数（τ）が最適値のとき、動画尾引き（ＭＰＲＴ）が最小となり、さらに白輝度が最大、ホワイトバランスの変化も小さくなることがわかる。
【０１３８】
次に、前述の補正定数（τ）の最適値にて、バックライトブロックのブロック数（分割数：Ｎ）、消灯率（Ｘｂ）を変えたときの動画像のゆがみ、動画尾引きの色づきの主観評価結果を示す。
【０１３９】
図２７に、主観評価に用いた表示画面を示す。
入力信号は、縦帯画面を横にスクロールさせた。ここで、表示のスクロール速度は５〜２０［ｐｉｘｅｌ／ｆｒａｍｅ］、画面水平方向を０．８５〜３．３［ｓ］で横切る速度である。
【０１４０】
この画面は、図２８に示すように、バックライトのブロック分割による動画像のゆがみ、動画尾引きの色づきを認識しやすい表示である。
【０１４１】
図２９に前述の主観評価の結果を示す。図２９は、黒挿入率（Ｘｐ）が０．５の条件で、バックライトの分割数（Ｎ）、バックライトの消灯率（Ｘｂ）を変化させたものである。
【０１４２】
図２９に示すように、黒挿入率（Ｘｐ）が０．５の条件にて、バックライトブロックのブロック分割されたブロック数（Ｎ）≧８の場合、バックライトの消灯率（Ｘｂ）≦０．３７５、バックライトブロックのブロック数（分割数：Ｎ）≧６の場合は、バックライトの消灯率（Ｘｂ）≦０．２５の条件で、バックライトのブロック分割による動画像のゆがみ、動画尾引きの色づきは気にならず良好な画質となる。
【０１４３】
この結果を元に、要因を調査、検証した結果、黒挿入率（Ｘｐ）と、バックライトの消灯率（Ｘｂ）が以下の関係にすれば良好な画質となる事が求められる。
Ｘｂ  ≦  Ｘｐ  −  （Ｖｄｉｓｐ／Ｎ）／Ｖｔｏｔａｌ
【０１４４】
図３０を用いて、この式の関係を説明する。図３０は、１つのバックライトブロックの黒挿入駆動を示している。  
図３０に示すように、バックライトブロックのブロック数（分割数：Ｎ）のとき、１つのバックライトブロックは、本実施形態の黒挿入駆動の場合、以下の期間にて液晶表示パネルの線順次走査が行われる。
（１バックライトブロックの黒走査期間）
＝Ｔｖ  ×  （Ｖｄｉｓｐ／Ｎ）／Ｖｔｏｔａｌ
【０１４５】
先の関係式（不等式）は、１つのバックライトブロック内の全ての表示ラインの黒表示の走査が終了してから、１つのバックライトブロック内のいずれかの（より好ましくは最初の）表示ラインに映像信号の走査が始まるまでの期間以下にバックライトの消灯期間を設定すると良好な画質となることを意味する。
【０１４６】
すなわち、先の関係式（不等式）を変形すると、
（消灯期間Ｔｂ）＝（Ｔｖ  ×  Ｘｂ  ）
≦    Ｔｖ  ×  Ｘｐ  −  Ｔｖ  ×  （Ｖｄｉｓｐ／Ｎ）／Ｖｔｏｔａｌ
となる。  
【０１４７】
このように本実施形態では、黒挿入駆動の連続的な透過率波形の効果を引き出すため、各分割光源ブロックにおいて、消灯するときはバックライトの輝度が高い状態で液晶表示パネルの黒挿入駆動を行い、連続的に透過光を遮断したのちにバックライトを消灯し、点灯するときは、バックライトを点灯して輝度が高い状態で、液晶表示パネルの映像表示駆動を行い、透過光を開放していくことで良好な画質となる。
【０１４８】
ここで、留意すべきは、消灯期間Ｔｂが前述の条件以下となるのであって、黒挿入走査の開始タイミングと消灯期間Ｔｂの開始タイミングとの関係は、前述の補正定数（τ）の最適値の期間分ずれていることが好ましい。
【０１４９】
また、本実施形態の各パラメータの最適設定値は、一例であって制限されるものではなく、他の種々の条件下におけるパラメータの最適設定値による駆動も本発明の範囲に含まれるものである。さらに、各パラメータのうちの特定のパラメータを特定条件で固定し、他のパラメータを変化したときに得られる各パラメータの相関関係を利用した駆動も本発明の範囲に含まれるものである。
【０１５０】
（第１の実施形態の効果）
以上のように本実施形態によれば、以下に記載するような効果を奏する。
本実施形態では、液晶表示パネルの背面に、液晶表示パネルの線順次走査方向と平行なバックライトブロックに分割し、それぞれのバックライトブロックを独立して点滅可能なバックライトを備えている。液晶表示パネルの走査タイミングにあわせ、各バックライトの光源ブロックを順次点滅させるスキャニングバックライト駆動を行う。
【０１５１】
前記分割したスキャニングバックライト駆動の各光源ブロック間は、少なくとも隣接するバックライトブロックへ点灯ブロックの光が漏れる構造である。
【０１５２】
前記液晶表示パネルには、入力映像信号に一定の割合で黒信号もしくは暗色信号（以下、代表して黒信号）を挿入した信号を線順次走査で書き込み、前記各バックライトブロックの順次点滅は、前記液晶表示パネルの黒または暗色の信号の走査と同期してバックライトを消灯させる構成とする。
【０１５３】
第１に、前記黒挿入と遮光板を設けない構造のスキャンバックライト駆動を組み合わせることにより、隣接するバックライトブロックからの漏光により、バックライトブロックの境界部の輝度段差を軽減し、さらに走査方向に連続的に推移するパネルの黒もしくは暗表示の透過率波形を掛け合わせる。これにより、表示輝度を画面走査方向に連続的に変化させたため、関連技術のスキャニングバックライト駆動での課題であった動画像のずれ、面内の尾引きのムラを、バックライトのブロック数（分割数）の増大を招くことなく簡単な構成で抑えることが可能である。  
【０１５４】
また、隣接するバックライトブロックからの漏れる光による消灯不足は、消灯に同期してパネルの黒もしくは暗表示を掛け合わせて、消灯の効果を改善したため、関連技術のスキャニングバックライト駆動の課題であったゴースト状の尾引きの発生なく、動画尾引きを低減可能である。
【０１５５】
このように、本実施形態は、バックライトのブロック数（分割数）を増やすことなく、簡単な構成で、関連技術のスキャニングバックライト駆動の課題であった、動画像のずれ、面内の尾引きの改善のムラ、ゴースト状の尾引きが発生することなく、面内一様に動画尾引きを改善することが可能であり、動画引き、輝度効率、コントラストの良好なトータルバランスの良い高画質の表示装置が実現可能である。
【０１５６】
第２に、本実施形態では、光応答の急峻なＬＥＤだけではなく、ＣＣＦＬのように光応答が遅く、光の波長により光応答が異なるために発光/残光が色付く特性のライトソースをバックライトに用いた場合でも、色付きの発生するバックライトの応答中の発光を、その期間に表示パネルに黒挿入又は暗表示を挿入し、塞いだため、光源ブロック間の色ムラ、動画尾引きの色付きを抑制可能であり、バックライトのライトソースの種類によらない動画表示が可能である。
【０１５７】
第３に、本実施形態では、液晶表示パネルの線順次走査を高速化することなく実現できるため、フレームメモリが不要な構成も可能であり、低コストの構成が可能である。  
【０１５８】
（第１の実施形態の各種変形例）
また、本実施形態では、ＩＰＳパネルの結果を示したが、本実施形態の一変形例では、ＴＮパネル、ＶＡパネル等他の表示方式のパネルでも、同様に実施可能である。
【０１５９】
但し、ＴＮパネル、ＶＡパネルの場合、図３１、図３２に示すように、透過率波形のＯＮ、ＯＦＦの特性差が大きいため、全白表示での透過率０．５を閾値として液晶表示パネルの実質黒挿入率（Ｘｐ’）を用いて同様な構成が可能である。
Ｘｐ’  ＝  Ｔｐ’／Ｔｖ
すなわち、前記点灯タイミング制御部は、前記表示パネルの実質黒画像挿入期間をＴｐ’、フレーム周期をＴｖとしたときの、実質黒画像挿入率をＸｐ’＝Ｔｐ’／Ｔｖとし、前記背面光源の実質消灯期間をＴｂ’、フレーム周期をＴｖとしたときの、実質消灯率をＸｂ’＝Ｔｂ’／Ｔｖとし、前記黒画像挿入率に応じた前記消灯期間及び前記ブロック数に基づいて制御することができる。
【０１６０】
また、本実施形態の一変形例では、図３３に示すように、光源を陰極管２４ａ、２５ａにて形成したバックライトユニット２０ａを構成することができる。この場合、点灯制御回路として陰極管点灯制御回路３２ａ―１〜３２ａ―Ｎにて構成することができる。
陰極管２４ａ、２５ａの長軸側は、各バックライトブロック２２ａ―１〜２２ａ―Ｎと平行となるように配置する。
陰極管２４ａ、２５ａは、例えば、冷陰極管（ＣＣＦＬ）や熱陰極管（ＨＣＦＬ）、外部電極型陰極管（ＥＥＦＬ）、平板陰極管（ＦＦＬ）等にて構成することができる。
【０１６１】
さらに、本実施形態の一変形例では、図３４に示すように、光源を、複数のＬＥＤ２４ｂをアレイ状に配置したＬＥＤアレイ２３ｂにて形成したバックライトユニット２０ｂを構成することができる。この場合、各バックライトブロック２２ｂ―１〜２２ｂ―Ｎを点灯制御する点灯制御回路としてＬＥＤ点灯制御回路３２ｂ―１〜３２ｂ―Ｎにて構成することができる。  
【０１６２】
また、図３５乃至図３８に示すように、スキャニングバックライト駆動のバックライトブロック間の境界部は、少なくとも点灯したブロックから隣接するバックライトブロックへの光がある程度漏れて、到達する構造であればよく、各バックライトブロック境界部に光量や光の方向を制御するための凸状構造物を設けてもよい。
この場合、各バックライトブロックの境界部の凸状構造物の突出端部とバックライトの液晶表示パネル側に設けたシート間に、適当な間隙部を設けていれば可能である。
【０１６３】
具体的には、本実施形態の一変形例では、バックライトユニット１２０は、図３５に示すように、ブロック分割された複数のバックライトブロック（光源ブロック）１２２−１〜１２２−Ｎを有する。各バックライトブロック１２２−１〜１２２−Ｎは、液晶表示パネル１１０の線順次走査方向と平行に配列されている。また、各バックライトブロック１２２−１〜１２２−Ｎの各境界部には、液晶表示パネル１１０の線順次走査方向と平行に、凸状構造物の一例であるブロック遮光構造部１１７が、それぞれ配列されている。
【０１６４】
このバックライトユニット１２０の断面構造を図３６に示す。図３６は、図３５に示すバックライトユニット１２０のＡ−Ａ’断面図である。
図３６に示すように、液晶表示パネル１１０の背面側には、液晶表示パネル本体を構成する基板部１１２と対向してバックライトユニット１２０が形成されている。基板部１１２は、透明基板にて形成され、バックライトユニット１２０からの光を透過する。基板部１１２は、液晶表示パネル本体側のアレイ基板又は対向基板のいずれであってもよい。
【０１６５】
バックライトユニット１２０は、基板部１１２側の天部に亘って光拡散部１１４を有する。光拡散部１１４は、例えば拡散板、拡散シート、レンズシートなどにて形成される。光拡散部１１４は、これらのシートが重ねて配置した構成とすることが好ましい。光拡散部１１４のシート構成は、所望の表示性能にあわせて選択することができる。また、バックライトユニット１２０は、基板部１１２側と反対側の面の底部に亘って光反射部１１６を有する。光反射部１１６は、例えば反射シートなどにて形成される。
【０１６６】
一つのバックライトブロック１２２−１には、光反射部１１６上に複数の光源１２４、１２５が形成されている。図３６の例では、一つのバックライトブロック１２２−１に形成される光源の数は２個であるが、これらの個数は制限されるものではない。光源１２４は、例えばＣＣＦＬやＬＥＤなどにて構成することができる。一つのバックライトブロック１２２−１に含まれる光源１２４・１２５は、一括して点滅制御が行われる。
【０１６７】
ここで、各バックライトブロック１２２−１〜１２２−Ｎの境界部の構造は、少なくとも隣接するバックライトブロックの光が漏れて、到達する構造であればよく、本実施形態では、図３６に示すように、各バックライトブロック１２２−１〜１２２−Ｎの各境界部に凸状構造物の一例であるブロック遮光構造部１１７が、それぞれ配列されている。
【０１６８】
このような構造のブロック遮光構造部１１７は、バックライトユニット１２０の底部１２９より突出する凸部であって、断面略三角形状にて形成される。凸部の突出端部とバックライトユニット１２０の天部１２８との間には、間隙部１２６が形成され、隣接するバックライトブロック１２２−１〜１２２−Ｎに光が漏れる構造である。ブロック遮光構造部１１７の断面略三角形状の一方の傾斜面部は、一方のバックライトブロック１２２−１方向に反射光が集光するようになっている。ブロック遮光構造部１１７の断面略三角形状の他方の傾斜面部は、他方のバックライトブロック１２２−２方向に反射光が集光するようになっている。
【０１６９】
また、本実施形態の一変形例では、バックライトユニット２２０は、図３７に示すように、ブロック分割された複数のバックライトブロック（光源ブロック）２２２−１〜２２２−Ｎを有する。各バックライトブロック２２２−１〜２２２−Ｎは、液晶表示パネル２１０の線順次走査方向と平行に配列されている。また、各バックライトブロック２２２−１〜２２２−Ｎの各境界部には、液晶表示パネル２１０の線順次走査方向と平行に、凸状構造物の一例であるブロック遮光構造部２１７が、それぞれ配列されている。
【０１７０】
このバックライトユニット２２０の断面構造を図３８に示す。図３８は、図３７に示すバックライトユニット２２０のＡ−Ａ’断面図である。
図３８に示すように、液晶表示パネル２１０の背面側には、液晶表示パネル本体を構成する基板部２１２と対向してバックライトユニット２２０が形成されている。基板部２１２は、透明基板にて形成され、バックライトユニット２２０からの光を透過する。基板部２１２は、液晶表示パネル本体側のアレイ基板又は対向基板のいずれであってもよい。
【０１７１】
バックライトユニット２２０は、基板部２１２側の天部に亘って光拡散部２１４を有する。光拡散部２１４は、例えば拡散板、拡散シート、レンズシートなどにて形成される。光拡散部２１４は、これらのシートが重ねて配置した構成とすることが好ましい。光拡散部２１４のシート構成は、所望の表示性能にあわせて選択することができる。また、バックライトユニット２２０は、基板部２１２側と反対側の面の底部に亘って光反射部２１６を有する。光反射部２１６は、例えば反射シートなどにて形成される。
【０１７２】
一つのバックライトブロック２２２−１には、光反射部２１６上に複数の光源２２４、２２５が形成されている。図３８の例では、一つのバックライトブロック２２２−１に形成される光源の数は２個であるが、これらの個数は制限されるものではない。光源２２４は、例えばＣＣＦＬやＬＥＤなどにて構成することができる。一つのバックライトブロック２２２−１に含まれる光源２２４・２２５は、一括して点滅制御が行われる。
【０１７３】
ここで、各バックライトブロック２２２−１〜２２２−Ｎの境界部の構造は、少なくとも隣接するバックライトブロックの光が到達する構造であればよく、本実施形態では、図３６に示すように、各バックライトブロック２２２−１〜２２２−Ｎの各境界部に凸状構造物の一例であるブロック遮光構造部２１７が、それぞれ配列されている。
【０１７４】
このような構造のブロック遮光構造部２１７は、バックライトユニット２２０の底部より突出する凸部である。凸部の突出端部とバックライトユニット２２０の天部との間には、間隙部が形成され、隣接するバックライトブロック２２２−１〜２２２−Ｎに光が漏れる構造である。ブロック遮光構造部２１７の一方の傾斜曲面部は、一方のバックライトブロック１２２−１方向に反射光が集光するようになっている。ブロック遮光構造部１１７の他方の傾斜曲面部は、他方のバックライトブロック１２２−２方向に反射光が集光するようになっている。
【０１７５】
このようにすると、部品点数は多くなるものの点灯中のバックライトブロックの集光性が上がり、点灯中のバックライトブロックの隣接ブロックより遠方のバックライトブロックへの不要な消灯時の光漏れを低減し、光漏れ量と方向を制御することで、さらに輝度効率を改善することが可能である。
【０１７６】
ここで、本実施形態の構成要件と本発明の構成要件との対応関係について述べると、本実施形態の黒挿入駆動部５１により、本発明の「黒画像挿入駆動部」を構成することができる。また、本実施形態の点灯タイミング制御部５８により、本発明の「点灯タイミング制御部」を構成することができる。さらに、本実施形態の液晶表示パネル１０により、本発明の「表示パネル」を構成することができる。さらにまた、本実施形態のソースドライバ群４６により、本発明の「ソース線駆動部」を構成することができる。またさらに、本実施形態のゲートドライバ群４４により、本発明の「ゲート線駆動部」を構成することができる。また、本実施形態の点灯制御回路３２（３２−１〜３２−Ｎ）により、本発明の「点灯制御部」を構成することができる。さらに、本実施形態の各バックライトブロック２２（２２−１〜２２−Ｎ）により、本発明の「各光源ブロック」を構成することができる。また、本実施形態のブロック遮光構造部１１７により、本発明の「凸部」を構成することができる。さらに、本実施形態のタイミングコントローラ５０により、本発明の「表示パネルの制御装置」を構成することができる。「表示パネルの制御装置」は、表示パネルと、該表示パネルの背面にて線順次走査方向と平行な複数の各光源ブロックを構成する背面光源と、を制御することができる。
【０１７７】
「黒画像挿入駆動部」は、映像表示を行う映像表示走査の開始と黒画像表示を行う黒画像表示走査の開始とを特定期間に行う黒画像挿入駆動を表示パネルに対して行う制御をすることができる。「点灯タイミング制御部」は、前記黒画像挿入駆動部での前記映像表示走査又は前記黒画像表示走査の開始タイミングと同期する同期信号に基づいて、前記表示パネルの背面部にて線順次走査方向と平行な複数の各光源ブロックの各々の点灯開始時期及び消灯開始時期のタイミングの制御を行うことができる。
この場合、「点灯タイミング制御部」は、互いに隣接する前記各光源ブロックの境界部が間隙部を構成する場合に、一の前記光源ブロックの消灯期間が、一の前記光源ブロックに対応する前記表示パネルのブロック領域内の全ての表示ラインについての前記黒画像表示走査の終了時期から、前記ブロック領域内の最初の表示ラインについての前記映像走査の開始時期までの期間以下となる期間条件を満たすように、前記点灯開始時期及び前記消灯開始時期を制御することができる。
【０１７８】
また、「点灯タイミング制御部」は、前記期間条件を満たしつつ、前記光源ブロックの消灯開始時期が前記黒画像表示走査の開始タイミングに、前記光源の輝度応答と前記表示パネルの電気光学応答の補正定数分を加味した時期となるように制御することができる。これにより、補正定数（τ）が最適値のとき、動画尾引き（ＭＰＲＴ）が最小となり、さらに白輝度が最大、ホワイトバランスの変化も小さくすることができる（図２２〜図２６）。さらに、「点灯タイミング制御部」は、前記表示パネルの駆動ライン数をＶｔｏｔａｌ、前記表示パネルの表示ライン（走査線）数をＶｄｉｓｐ、ブロック分割された前記光源ブロックのブロック数をＮ、前記黒画像挿入駆動部によるフレーム期間の黒画像挿入率をＸｐ、前記フレーム期間に占める前記消灯期間の比率である消灯率をＸｂとすると、
Ｘｂ  ≦  Ｘｐ  −  （Ｖｄｉｓｐ／Ｎ）／Ｖｔｏｔａｌ  
となる前記黒画像挿入率Ｘｐと前記消灯率Ｘｂとの相関条件を満たすように、前記黒画像挿入率に応じた前記消灯期間及び前記ブロック数にて制御することができる。これにより、黒画像挿入駆動の連続的な透過率波形の効果を引き出すため、各分割光源ブロックにおいて、消灯するときはバックライトの輝度が高い状態で表示パネルの黒画像挿入駆動を行い、連続的に透過光を遮断したのちにバックライトを消灯し、点灯するときは、バックライトを点灯して輝度が高い状態で、表示パネルの映像表示駆動を行い、透過光を開放していくことで良好な画質となる。      
【０１７９】
また、「点灯タイミング制御部」は、前記黒画像挿入率Ｘｐが０．５、前記消灯率Ｘｂが０．２５であるとき、前記ブロック数Ｎが６以上となるようにブロック分割して各前記光源ブロックを各々制御することができる。さらに、「点灯タイミング制御部」は、前記黒画像挿入率Ｘｐが０．５、前記消灯率Ｘｂが０．３７５であるとき、前記ブロック数Ｎが８以上となるようにブロック分割して各前記光源ブロックを各々制御することができる。これらの条件では、バックライトのブロック分割による動画像のゆがみ、動画尾引きの色づきは気にならず良好な画質となる（図２９）。
【０１８０】
また、前記表示パネルが、ＴＮ方式の液晶表示パネル又はＶＡ方式の液晶表示パネルである場合には、「点灯タイミング制御部」は、前記表示パネルの実質黒画像挿入期間をＴｐ’、フレーム周期をＴｖとしたときの、実質黒画像挿入率をＸｐ’＝Ｔｐ’／Ｔｖとし、前記背面光源の実質消灯期間をＴｂ’、フレーム周期をＴｖとしたときの、実質消灯率をＸｂ’＝Ｔｂ’／Ｔｖとし、前記黒画像挿入率に応じた前記消灯期間及び前記ブロック数に基づいて制御することができる。これにより、例えばＴＮパネル、ＶＡパネルなどの場合、透過率波形のＯＮ、ＯＦＦの特性差が大きいため、全白表示での透過率０．５を閾値として液晶表示パネルの実質黒挿入率（Ｘｐ’）を用いて同様に制御できる（図３１、図３２）。  
【０１８１】
「表示パネル」は、マトリクス状に配置された複数のゲート線及び複数のソース線の各交差部に各々画素が形成された構成とすることができる。「ソース線駆動部」は、映像信号に従って映像表示を行う映像部分と、黒画像信号に従って黒表示を行う黒画像部分とが交互に含まれた黒画像挿入映像信号を前記各ソース線に供給することができる。「ゲート線駆動部」は、前記複数のゲート線を幾つかの群に分けたゲート線群それぞれに対して設けられ対応する各ゲート線にゲート駆動信号を順次供給することができる。「点灯制御部」は、前記表示パネルの背面部にて線順次走査方向と平行な複数の光源ブロックをブロック単位にて点灯消灯する制御を行うことができる。バックライトユニットは、前記表示パネルの背面部に配設され、複数の前記光源ブロックを含むことができる。表示パネルの制御装置は、前記点灯制御部、前記ゲート線駆動部、及び前記ソース線駆動部を制御することができる。
【０１８２】
また、図１及び図２に示すブロック図におけるタイミングコントローラの一部の各ブロックは、コンピュータが適宜なメモリに格納された各種プログラムを実行することにより、該プログラムにより機能化された状態を示すソフトウェアモジュール構成であってもよい。
すなわち、物理的構成は、例えば一又は複数のＣＰＵ（或いは一又は複数のＣＰＵと一又は複数のメモリ）等ではあるが、各部（回路・手段）によるソフトウェア構成は、プログラムの制御によってＣＰＵが発揮する複数の機能を、それぞれ複数の部（手段）による構成要素として表現したものである。
ＣＰＵがプログラムによって実行されている動的状態（プログラムを構成する各手順を実行している状態）を機能表現した場合、ＣＰＵ内に各部（手段）が構成されることになる。プログラムが実行されていない静的状態にあっては、各手段の構成を実現するプログラム全体（或いは各手段の構成に含まれるプログラム各部）は、メモリなどの記憶領域に記憶されている。
以上に示した各部（手段）の説明は、プログラムにより機能化されたコンピュータをプログラムの機能と共に説明したものと解釈することも出来るし、また、固有のハードウェアにより恒久的に機能化された複数の電子回路ブロックからなる装置を説明したものとも解釈することが出来ることは、当然である。したがって、これらの機能ブロックがハードウェアのみ、ソフトウェアのみ、またはそれらの組合せによっていろいろな形で実現でき、いずれかに限定されるものではない。  
【０１８３】
すなわち、タイミングコントローラは、プログラム制御により動作し、通信機能を有する情報機器、またはこれに類するコンピュータなどいかなるコンピュータでもよい。
【０１８４】
［第２の実施形態］
次に、本発明にかかる第２の実施形態について、図３９乃至図４３に基づいて説明する。以下には、前記第１の実施形態の実質的に同様の構成に関しては説明を省略し、異なる部分についてのみ述べる。図３９は、本発明の液晶表示装置の第２の実施形態の一例を示すブロック図である。
【０１８５】
本実施形態では、１フレーム期間を分割したサブフレーム期間のうち、一方のサブフレーム期間で黒表示走査を行い、他方のサブフレーム期間で映像表示走査を行う構成としている。  
【０１８６】
具体的には、本実施形態の液晶表示装置３００は、倍速駆動可能なものであり、図３９に示すように、前記第１の実施形態と同様の構成である液晶表示パネル３１０、ゲートドライバ群３４４、ソースドライバ群３４６、複数（Ｎ個）のバックライトブロック３２２（３２２−１〜３２２−Ｎ）からなるバックライトユニット３２０、Ｎ個の点灯制御回路３３２（３３２−１〜３３２−Ｎ）と、倍速駆動可能なタイミングコントローラ３５０と、フレームメモリ３６２と、を含んで構成される。
【０１８７】
タイミングコントローラ３５０は、液晶表示パネル３１０において黒挿入駆動を行うための黒挿入駆動部３５１と、この黒挿入駆動部３５１からの同期信号に基づいてＮ個の点灯制御回路３３２（３３２−１〜３３２−Ｎ）の点灯開始時期及び消灯開始時期のタイミングを各々制御するための各種制御信号（光源ブロック制御信号）を生成する点灯タイミング制御部３５８と、を含んで構成される。
【０１８８】
黒挿入駆動部３５１は、フレームメモリ３６２を用いて入力される映像信号をｋ倍速（例えば２倍速）して１フレームの映像信号を２つのサブフレームの映像信号に変換する制御を行う倍速駆動変換部３５６と、倍速駆動変換部３５６にて変換された一方のサブフレームの映像信号を黒画像信号に階調変換し、他方のサブフレームの映像信号はそのままとして黒挿入映像信号を生成する黒挿入信号変換部３５２と、この黒挿入信号変換部３５２からの黒挿入映像信号に基づいて液晶表示パネル３１０における黒挿入駆動制御を行う黒挿入駆動制御部３５４と、を含んで構成される。
【０１８９】
ここで、本実施形態では、倍速駆動変換部３５６を２倍速として説明するが、ｋ倍速にすることで、１フレームの黒挿入率を変更することもできる。例えば、３倍速では、１フレームの（１／３）の第１サブフレームを映像信号、１フレームの（１／３）の第２サブフレームを映像信号、１フレームの（１／３）の第３サブフレームを黒画像信号とした第１の黒挿入率の第１フレームとしたり、第１サブフレームを映像信号、第２サブフレームを黒画像信号、第３サブフレームを黒画像信号とした第２の黒挿入率の第２フレームとしたり、フレーム毎に映像信号に応じて第１の黒挿入率、第２の黒挿入率を切替制御するようにしてもよい。
【０１９０】
上述のような構成の液晶表示装置３００は、概略以下のように動作する。すなわち、図３９に示すように、入力される映像信号は、倍速駆動変換部３５６へ送られる。
【０１９１】
入力される映像信号は、倍速駆動変換部３５６により２倍速され、２つのサブフレームの映像信号に変換され、続く黒挿入信号変換部３５２に入力される。
【０１９２】
一方のサブフレームの映像信号は、黒挿入信号変換部３５２により黒画像信号に変換（以下、黒サブフレームという）され、他方のサブフレームの映像信号（以下、映像サブフレーム）はそのままとして、黒挿入映像信号が生成され、黒挿入駆動制御部３５４に入力される。
【０１９３】
黒挿入駆動制御部３５４では、所定のタイミングでドライバの制御信号を生成し、各ゲートドライバ３４４−１〜３４４−ｉ、各ソースドライバ３４６に入力する。
【０１９４】
また、黒挿入駆動制御部３５４では、ドライバの制御信号と共に、液晶表示パネル３１０に黒画像信号を出力するサイクルに同期した同期信号を作成し、点灯タイミング制御部３５８に入力する。
【０１９５】
一方、液晶表示パネル３１０の背面には、バックライトユニット３２０が構成される。バックライトユニット３２０は、液晶表示パネル３１０の線順次走査方向と平行な方向に複数のバックライトブロック３２２―１〜３２２―Ｎを構成している。バックライトブロック３２２―１〜３２２―Ｎは、光源（ライトソース）をブロック分割したものである。各バックライトブロック３２２―１〜３２２―Ｎは、各々独立して点滅可能で、各バックライトブロック３２２―１〜３２２―Ｎ間は、少なくとも隣接する各バックライトブロック３２２―１〜３２２―Ｎへの光が到達する構造である。  
点灯タイミング制御部３５８では、入力された同期信号に基づいてバックライトユニット３２０の各バックライトブロック３２２―１〜３２２―Ｎの制御信号（光源ブロック制御信号）を生成し、バックライトユニット３２０の各バックライトブロック３２２―１〜３２２―Ｎの各点灯制御回路３３２―１〜３３２―Ｎに入力する。
【０１９６】
点灯制御回路３３２―１〜３３２―Ｎは、入力された制御信号（光源ブロック制御信号）に従い、それぞれバックライトブロック３２２―１〜３２２―Ｎを点滅させる。
【０１９７】
図４１に、本実施形態の黒挿入駆動の表示の様子を示す。図４１（Ｂ）に示すように、本実施形態の黒挿入駆動は、黒サブフレームと映像サブフレームを交互に繰り返す黒挿入駆動となる。
【０１９８】
以下に、本第２の実施形態の各パラメータの設定について記載する。図４２、図４３に示すように、本実施形態の黒挿入駆動は、通常駆動に対し線順次走査の速度が倍となる。
【０１９９】
このため、前述の第１の実施形態の液晶表示パネルの線順次走査方向に、書き込み開始側から（ｎ）番目のバックライト光源ブロックの消灯開始時間（ΔＴｂ（ｎ））をサブフレーム周期（Ｔｖ）を用いて、
ΔＴｂ（ｎ）＝  τ  ＋  Ｔｖ  ×  （Ｖｄｉｓｐ／２Ｎ）／Ｖｔｏｔａｌ  ×  ｎ
液晶表示パネル駆動ライン数  ：  Ｖｔｏｔａｌ［Ｈ］
液晶表示パネル表示ライン数  ：  Ｖｄｉｓｐ［Ｈ］
フレーム周期  ：  Ｔｖ［ｓ］
とおく。ここで、黒信号を出力するサイクルに同期した同期信号は、黒サブフレームのスタートパルスを用いることで第１の実施形態と同様に実施でき、液晶の線順次走査の速度が倍増するため、スキャニングバックライトは第１の実施形態の半分となる。
【０２００】
バックライト分割数（Ｎ）≧４の場合、スキャニングバックライト駆動の消灯率（Ｘｂ）≦０．３７５、バックライト分割数（Ｎ）≧３の場合は、スキャニングバックライト駆動の消灯率（Ｘｂ）≦０．２５の条件で、スキャニングバックライトの光源ブロック分割による動画像のゆがみ、動画尾引きの色づきは気にならず良好な画質となる。
【０２０１】
この結果をもとに、黒挿入率（Ｘｐ＝０．５）と、スキャニングバックライト駆動の消灯率（Ｘｂ）が以下の関係にすれば良好な画質となる事が求められる。
Ｘｂ  ≦  Ｘｐ  −  （Ｖｄｉｓｐ／２Ｎ）／Ｖｔｏｔａｌ
【０２０２】
以上のように本実施形態によれば、ブロック分割された１つのバックライトブロック内の全ての液晶表示ラインの黒画像信号の走査が終了してから、１つのバックライトブロック内のいずれかの液晶表示ラインに映像信号の走査が始まるまでの期間以下に、バックライトの消灯期間を設定すると良好な画質となる。
【０２０３】
同様にして、ｋ倍速の場合も、黒挿入率（Ｘｐ＝０．５）と、スキャニングバックライト駆動の消灯率（Ｘｂ）が以下の関係にすれば良好な画質となる事が求められる。
Ｘｂ  ≦  Ｘｐ  −  （Ｖｄｉｓｐ／ｋＮ）／Ｖｔｏｔａｌ
この場合、前記点灯タイミング制御部は、前記ブロック数Ｎが６／ｋ以上となるようにブロック分割して各前記光源ブロックを各々駆動制御することが好ましい。これにより、さらに良好な画質となる。
【０２０４】
その他の構成およびその他のステップ並びにその作用効果については、前述した第１の実施形態の場合と同一となっている。また、上記の説明において、上述した各ステップの動作内容及び各部の構成要素をプログラム化し、コンピュータに実行させてもよい。
【０２０５】
ここで、本実施形態の構成要件と本発明の構成要件との対応関係について述べると
、本実施形態の倍速駆動変換部３５６により、本発明の「倍速変換制御部」を構成することができる。また、本実施形態の黒挿入信号変換部３５２により、本発明の「黒画像挿入信号変換部」を構成することができる。さらに、本実施形態の黒挿入駆動部３５１により、本発明の「黒画像挿入駆動部」を構成することができる。さらにまた、本実施形態の点灯タイミング制御部３５８により、本発明の「点灯タイミング制御部」を構成することができる。    
【０２０６】
前記黒画像挿入駆動部は、映像信号に従って映像表示を行う映像部分と、黒画像信号に従って黒表示を行う黒画像部分とが交互に含まれた黒画像挿入映像信号を前記表示パネルに供給する際に、前記映像信号をｋ倍速し、１フレーム期間をｋ分割したサブフレーム期間に変換する制御を行う倍速変換制御部と、少なくとも一つの前記サブフレーム期間に前記黒画像信号を挿入する黒画像挿入信号変換部と、を含むことができる。
つまり、前記黒画像挿入駆動部は、映像信号に従って映像表示を行う映像部分と、黒画像信号に従って黒表示を行う黒画像部分とが交互に含まれた黒画像挿入映像信号を前記表示パネルに供給する際に、前記映像信号をｋ倍速して１フレーム期間をｋ分割したサブフレーム期間に変換し、少なくとも一つの前記サブフレーム期間に前記黒画像信号を挿入するものである。
この場合、「点灯タイミング制御部」は、前記表示パネルの駆動ライン数をＶｔｏｔａｌ、前記表示パネルの表示ライン（走査線）数をＶｄｉｓｐ、ブロック分割された前記光源ブロックのブロック数をＮ、前記黒画像挿入駆動部によるフレーム期間の黒画像挿入率をＸｐ、前記フレーム期間に占める前記消灯期間の比率である消灯率をＸｂ、前記サブフレーム期間の数をｋとすると、
Ｘｂ  ≦  Ｘｐ  −  （Ｖｄｉｓｐ／ｋＮ）／Ｖｔｏｔａｌ
となる前記黒画像挿入率Ｘｐと前記消灯率Ｘｂとの相関条件を満たすように、前記黒画像挿入率に応じた前記消灯期間及び前記ブロック数にて制御することができる。
【０２０７】
さらに、この場合、前記点灯タイミング制御部は、前記ブロック数Ｎが６／ｋ以上となるようにブロック分割して各前記光源ブロックを各々駆動制御することができる。これにより、前記第１の実施の形態の主観結果同様にさらに良好な画質となる。
【０２０８】
また、「点灯タイミング制御部」は、前記サブフレーム期間の数ｋが２、前記黒画像挿入率Ｘｐが０．５、前記消灯率Ｘｂが０．２５であるとき、前記ブロック数Ｎが３以上となるようにブロック分割して各前記光源ブロックを各々制御することができる。さらに、「点灯タイミング制御部」は、前記サブフレーム期間の数ｋが２、前記黒画像挿入率Ｘｐが０．５、前記消灯率Ｘｂが０．３７５であるとき、前記ブロック数Ｎが４以上となるようにブロック分割して各前記光源ブロックを各々制御することができる。  
【０２０９】
［第３の実施形態］
次に、本発明にかかる第３の実施形態について、図４４に基づいて説明する。以下には、前記第１及び第２の実施形態と実質的に同様の構成ないしは処理手順に関しては説明を省略し、異なる部分についてのみ述べる。図４４は、本発明の表示パネルの制御装置を備えた液晶表示装置を放送受信装置に適用した第３の実施形態の一例を示すブロック図である。
【０２１０】
放送受信装置５００は、図４４に示すように、上述のいずれかの実施形態と同様の構成を有する液晶表示装置５７４を含んで構成される。
【０２１１】
放送受信装置５００は、さらに、地上波アナログ放送用のアナログチューナ５０２と、アナログチューナ５０２からの信号を復調する復調器５０４と、地上波デジタル放送用の地上デジタルチューナ５１２と、地上デジタルチューナ５１２からの信号を復調するＯＦＤＭ復調器５１４と、衛星デジタル放送用の衛星デジタルチューナ５２２と、衛星デジタルチューナ５２２からの信号を復調するＱＰＳＫ復調器５２４と、地上波デジタル放送の映像及び衛星デジタル放送の映像など例えばＭＰＥＧ−２方式などの動画像圧縮符号化方式の圧縮符号化データをデコードするＭＰＥＧデコーダ５３２と、アナログ信号を入力する第１の外部入力端子としての外部入力端子５６２と、デジタル信号を入力する第２の外部入力端子としての外部入力端子５６６と、ユーザ設定部５５２と、切り替え制御部５３４と、ＯＳＤ制御部５４２と、映像処理部５４４と、音声処理部５４６と、音声出力部５７２と、を含んで構成される。
【０２１２】
放送受信装置５００において地上波アナログ放送を受信する場合は、地上波アナログ放送受信用のアンテナに接続したアナログチューナー５０２からの信号を復調器５０４により映像信号と音声信号を分離し映像信号を生成し、切り替え制御部５３４に入力する。
【０２１３】
放送受信装置５００において地上波デジタル放送を受信する場合は、地上波デジタル放送受信用のアンテナに接続した地上デジタルチューナー５１２からの信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直行周波数分割多重）復調器５１４によりデジタル映像信号とデジタル音声信号に変換し、映像はＭＰＥＧ（Ｍｏｖｉｎｇ  Ｐｉｃｔｕｒｅ  Ｅｘｐｏｒｔ  Ｇｒｏｕｐ）デコーダ５３２で復元し、映像信号を生成し、切り替え制御部５３４に入力する。
【０２１４】
放送受信装置５００において衛星デジタル放送を受信する場合は、衛星デジタル放送受信用のアンテナに接続した衛星デジタルチューナー５２２からの信号をＱＰＳＫ（Ｑｕａｄｒａｔｕｒｅ  Ｐｈａｓｅ  Ｓｉｆｔ  Ｋｅｙｉｎｇ：四位相偏移変調）復調器５２４によりデジタル映像信号とデジタル音声信号に変換し、映像はＭＰＥＧ（Ｍｏｖｉｎｇ  Ｐｉｃｔｕｒｅ  Ｅｘｐｏｒｔ  Ｇｒｏｕｐ）デコーダ５３２で復元し、映像信号を生成し、切り替え制御部５３４に入力する。
【０２１５】
また、外部からの入力信号に対しては、アナログ入力はデジタル化し、映像信号を生成し、切り替え制御部５３４に入力し、デジタル入力は映像信号を切り替え制御部５３４に入力する。これらの入力信号は、ユーザのチャンネル設定によりユーザ設定部５５２にて切り替えられ、映像処理部５４４に送られえる。映像処理部５４４では、ＩＰ変換、スケーラ等のフォーマット変換や、明るさ、コントラスト、色等の映像調整を行い、液晶表示装置５７４に入力する。
【０２１６】
以上のように本実施形態によれば、上述のいずれかの実施形態の液晶表示装置を、このような放送受信装置に適用することで、安価で動画ぼやけの少ない画像の放送受信装置が実現可能である。
【０２１７】
ここで、上述した放送受信装置においては、アナログ放送、地上波デジタル放送、衛星デジタル放送など、多様な放送信号を受信し映像を表示する例であるが、放送信号の種類に限定されるものではない。
【０２１８】
また、上述の実施形態にて開示された放送受信装置の図４４におけるブロック構成は、構成の一例であり、放送受信装置の表示部として上述の各実施形態の液晶表示装置が使用されればよく、放送受信装置の構成としては、他の種々の構成（例えば、アナログ放送のみを受信する放送受信装置、地上波デジタル放送のみを受信する放送受信装置、衛星デジタル放送のみを受信する放送受信装置、本実施形態の構成に他の機能が付加された放送受信装置など）が想定され、表示部として利用される構成は、これらの構成により限定されるものではない。
【０２１９】
また、図４４の例では、放送受信装置について示したが、上述の実施形態の液晶表示装置を、モニタとして使用した場合でも、安価で動画ぼやけの少ない画像を実現可能である。
【０２２０】
その他の構成およびその他のステップ並びにその作用効果については、前述した第１の実施形態の場合と同一となっている。
また、上記の説明において、上述した各ステップの動作内容および各部をプログラム化し、コンピュータに実行させてもよい。
【０２２１】
［第４の実施形態］
次に、本発明にかかる第４の実施形態について、図４５に基づいて説明する。以下には、前記第１の実施形態の実質的に同様の構成に関しては説明を省略し、異なる部分についてのみ述べる。図４５は、本発明の液晶表示装置の第４の実施形態の一例を示すブロック図である。
【０２２２】
本実施形態では、タイミングコントローラは、各種パラメータを設定制御可能な構成としている。
具体的には、本実施形態の液晶表示装置６００は、図４５に示すように、前記第１の実施形態と同様の構成である液晶表示パネル１０、ゲートドライバ群４４、ソースドライバ群４６、複数（Ｎ個）のバックライトブロック２２（２２−１〜２２−Ｎ）からなるバックライトユニット２０、Ｎ個の点灯制御回路３２（３２−１〜３２−Ｎ）と、各種パラメータを設定制御可能なタイミングコントローラ６５０と、各種パラメータを設定可能なパラメータ設定部６７０と、を含んで構成される。
【０２２３】
タイミングコントローラ６５０は、液晶表示パネル１０において黒挿入駆動を行うための黒挿入駆動部６５１と、この黒挿入駆動部６５１からの同期信号に基づいてＮ個の点灯制御回路３２（３２−１〜３２−Ｎ）の点灯開始時期及び消灯開始時期のタイミングを各々制御するための各種制御信号（光源ブロック制御信号）を生成する点灯タイミング制御部６５８と、パラメータ設定部６７０にて設定された各種パラメータに基づいて設定条件を算出し、設定条件に基づいて黒挿入駆動部６５１や点灯タイミング制御部６５８が制御を行うように設定制御可能なパラメータ設定制御部６６０と、を含んで構成される。  
【０２２４】
パラメータ設定制御部６６０は、一例として、決定された動画改善情報に応じ黒挿入率と消灯率を決定し、黒挿入率を基に黒挿入駆動部６５１がパネル制御、消灯率を基に点灯タイミング制御部６５８がバックライト点灯制御する構成も可能である。
これにより、ユーザ設定などにより変動するパラメータ（黒挿入率など）へ対応でき、動画尾引き改善の度合いを調整しても対応可能となる。
なお、黒挿入駆動部６５１、点灯タイミング制御部６５８は、入力映像信号に応じて変化するＶｔｏｔａｌに対応することができる。
【０２２５】
また、前述のパラメータのいずれかを外部から設定し行う構成（パラメータ設定部６７０）も可能である。
【０２２６】
さらに、パラメータ設定制御部６６０は、他の例として、ＬＣＤ設計時に決定するパラメータを別設定とすることもできる。この場合の別設定可能なパラメータとしては、バックライト分割数、応答補正、液晶パネル応答、バックライト光学応答、黒挿入率の種類などが挙げられる。これにより、タイミングコントローラ６５０を構成するコントローラＩＣの汎用性が高まる
【０２２７】
その他の構成およびその他のステップ並びにその作用効果については、前述した第１の実施形態の場合と同一となっている。また、上記の説明において、上述した各ステップの動作内容及び各部の構成要素をプログラム化し、コンピュータに実行させてもよい。
【０２２８】
［第５の実施形態］
次に、本発明にかかる第５の実施形態について、図４６に基づいて説明する。以下には、前記第１の実施形態の実質的に同様の構成に関しては説明を省略し、異なる部分についてのみ述べる。図４６は、本発明の第５の実施形態による液晶表示装置の駆動制御手順の一例を示すフローチャートである。
【０２２９】
上述の各実施形態のような構成を有する液晶表示装置における各部の処理は、方法としても実現可能であり、表示パネルの駆動制御方法としての各種の処理手順について、図４６を参照しつつ説明する。
【０２３０】
具体的には、本実施形態の表示パネルの駆動制御方法は、図４６に示すように、基本的構成として、
設定された各種パラメータに基づいて設定条件を算出し、設定条件に基づいて黒挿入駆動、点灯タイミング制御を行うように設定制御可能な最適設定値設定制御処理と（ステップＳ１０１）＜設定制御処理ステップ＞と、映像表示を行う映像表示走査の開始と黒画像表示を行う黒画像表示走査の開始とを特定期間に行う黒画像挿入駆動を表示パネルに対して行う制御をする黒画像挿入駆動制御処理（ステップＳ１０２）＜黒画像挿入駆動ステップ＞と、前記黒画像挿入駆動ステップでの前記映像表示走査又は前記黒画像表示走査の開始タイミングと同期する同期信号に基づいて、前記表示パネルの背面部にて線順次走査方向と平行な複数の各光源ブロックの各々の点灯開始時期及び消灯開始時期のタイミングの制御を行う点灯タイミング制御処理（ステップＳ１０３）＜点灯タイミング制御ステップ＞と、を含むことを特徴とするものである。  
【０２３１】
ここで、前記点灯タイミング制御処理では、互いに隣接する前記各光源ブロックの境界部が間隙部を構成する場合に、一の前記光源ブロックの消灯期間が、一の前記光源ブロックに対応する前記表示パネルのブロック領域内の全ての表示ラインについての前記黒画像表示走査の終了時期から、前記ブロック領域内の最初の表示ラインについての前記映像走査の開始時期までの期間以下となる期間条件を満たすように、前記点灯開始時期及び前記消灯開始時期を制御することができる。
【０２３２】
また、点灯タイミング制御処理では、前記黒画像挿入駆動制御処理によるフレーム期間の黒画像挿入率、前記光源ブロックのブロック分割されるブロック数、前記フレーム期間に占める前記消灯期間の比率である消灯率、前記光源の輝度応答と前記表示パネルの電気光学応答の補正定数をパラメータとして、前記黒画像挿入駆動の前記表示パネルの電気光学応答、前記光源ブロックの駆動の前記光源の輝度応答、前記黒画像挿入駆動の線順次走査の速度にあわせて最適化した各パラメータの最適設定値に基づいて制御することができる。
【０２３３】
なお、前記最適設定値設定制御処理では、前記第４の実施の形態のパラメータの設定制御を行うこともできる。
【０２３４】
以上のように、黒画像挿入駆動の連続的な透過率波形の効果を引き出すため、分割された各光源ブロックにおいて、消灯するときは、光源の輝度が高い状態で表示パネルの黒画像挿入駆動を行い、連続的に透過光を遮断したのちに光源を消灯し、点灯するときは、光源を点灯して輝度が高い状態で表示パネルの映像表示駆動を行い、透過光を開放していくことができ、動画引き、輝度効率、コントラストの良好なトータルバランスの良い高画質が可能なる。
【０２３５】
また、黒画像挿入駆動制御処理と点灯タイミング制御処理とを最適設定条件に基づいて制御する、という手法は、必ずしも実体のある装置に限られる必要はなく、その方法としても機能することもできる。このため、方法にかかる発明も、必ずしも実体のある装置に限らず、その方法としても有効であることに相違はない。この場合、方法を実現するための一例として表示パネルの制御装置、液晶表示装置なども含めることができる。
【０２３６】
ところで、このような装置は、単独で存在する場合もあるし、ある機器（例えば電子機器）に組み込まれた状態で利用されることもあるなど、発明の思想としてはこれに限らず、各種の態様を含むものである。従って、ソフトウェアであったりハードウェアであったりするなど、適宜、変更可能である。発明の思想の具現化例として装置のソフトウェアとなる場合には、かかるソフトウェアを記憶した記憶媒体上においても当然に存在し、利用されるといわざるをえない。
【０２３７】
さらに、一部がソフトウェアであって、一部がハードウェアで実現されている場合であってもよく、一部を記憶媒体上に記憶しておいて必要に応じて適宜読み込まれるような形態のものとしてあってもよい。本発明をソフトウェアで実現する場合、ハードウェアやオペレーティングシステムを利用する構成とすることも可能であるし、これらと切り離して実現することもできる。
【０２３８】
その他の構成およびその他のステップ並びにその作用効果については、前述した第１の実施形態の場合と同一となっている。
【０２３９】
[その他の各種変形例]
また、本発明にかかる装置及び方法は、そのいくつかの特定の実施形態に従って説明してきたが、本発明の主旨および範囲から逸脱することなく本発明の本文に記述した実施形態に対して種々の変形が可能である。
【０２４０】
例えば、上述の各実施形態では、液晶表示装置において、各映像フレームの相互間に黒画像表示を挿入することにより動画ボケを軽減しているが、黒表示に限定するものではなく、黒画像例えばグレーなどの中間調表示を挿入するようにしてもよい。この場合、動画ボケの改善に加え、輝度の低下も抑制できるが色度域とコントラストの低下が起こるため、それを勘案して最適な中間調挿入率を設定する構成となる。
【０２４１】
また、上述の各実施形態では、液晶表示パネルがツイストネマチック（ＴＮ）方式、スーパーツイストネマチック（ＳＴＮ）方式、垂直配向（ＶＡ）方式、面内スイッチング（ＩＰＳ）方式、高分子分散液晶（ＰＤＬＣ）方式、ゲストホスト（ＧＨ）方式、強誘電性（ＦＬＣ）形、複屈折制御（ＥＣＢ）方式、ＯＣＢパネルなど、どの液晶駆動方式であっても適用することが可能である。また、液晶表示装置の種類は特に限定されず、例えば薄膜トランジスタ型等のアクティブマトリクス駆動式のものや、単純マトリクス駆動式のものなど任意がタイプのものに形成することができる。
【０２４２】
さらにまた、上記構成部材の数、位置、形状、パラメータの設定数値等は上記実施形態に限定されず、本発明を実施する上で好適な数、位置、形状、数値等にすることができる。すなわち、上記実施形態では、黒挿入率（Ｘｐ＝０．５）の場合の条件を示したが、本発明は、これらの数値を制限するものではない。他の黒挿入率（Ｘｐ）の場合によって決まる条件も、本発明の範囲に含めることができる。  
【０２４３】
また、互いに隣接する前記各光源ブロックの境界部が間隙部を構成する場合には、Ｎ個の点灯制御回路を設けておいたとしても、点灯タイミング制御部は、Ｍ（≦Ｎ）個にブロック分割して駆動制御することもできる。例えば、点灯制御回路を１６個設けておき、点灯タイミング制御部が、２つの点灯制御回路に同一の制御信号を供給することによって、８ブロック分割の点灯制御を行うこともできる。この際、必要に応じて、点灯タイミング制御部が、８ブロック分割の点灯制御（第１の分割モード）と、１６ブロック分割の点灯制御（第２の分割モード）とを適宜切替制御するようにしてもよい。
【０２４４】
さらに、タイミングコントローラの黒挿入駆動部は、黒挿入駆動制御部による黒表示用走査スタートパルス（ＶＳＰ＿ｂ）出力のタイミングを動作環境に応じて設定する黒挿入率設定部を備えてもよい。この場合、黒挿入率設定部は、１フレーム毎に順次入力される映像信号の１フレーム分の情報を一時記憶し、映像信号のうちの一のフレームの映像信号と一時記憶された１つ前のフレームの映像信号とを比較し、変化したデータ数に基づいて黒画像挿入率を設定する機能を備えている。この黒挿入率設定部の設定に基づいて、黒挿入駆動制御部が、各種信号を生成することもできる。
【０２４５】
より詳細には、黒挿入率設定部は、現フレームデータｄａｔａ（ｎ）とその１つ前のフレームデータｄａｔａ（ｎ−１）とを比較し、変化したデータを１フレーム間カウントする。カウントした情報は例えば数フレーム間移動平均して平滑化し、閾値判別することで、静的な画像か動的な画像かを判別する機能を含むこともできる。
【０２４６】
また、黒挿入率設定部は、入力信号を参照し黒画像挿入率を判定する機能を含むこともできる。黒挿入率設定部は、判定された黒画像挿入率に対応して黒挿入駆動制御部によるＶＳＰ＿ｂ出力のタイミングを設定する機能を含んでよい。例えば、黒挿入率設定部は、使用者の趣向により選択された設定情報を基に黒挿入率を決定する判定部を含む構成とすることも可能であるし、１フレーム毎に順次入力される入力映像信号の特徴値を算出し、当該一のフレームの特徴値と前のフレームの特徴値とを比較して、最適な黒画像挿入率を判定する判定部を含んで構成することも可能である。
【０２４７】
これにより、液晶表示パネルの駆動方式や使用状況等に適したフレーム期間毎の黒画像挿入率を判定し、この判定された黒画像挿入率を実現できるＶＳＰ＿ｂ出力のタイミングを設定することができる。また、ここで設定するタイミングは、１つのゲートドライバで映像信号書込みと黒画像信号書込みの画素ラインが同時に選択されることのないタイミングである。  
【０２４８】
さらに、黒挿入率設定部は、入力映像信号を参照しフレーム期間毎の黒画像挿入率を判定し、判定された黒画像挿入率に対応してゲートドライバにＶＳＰ＿ｂを入力するタイミングを設定する場合に限らず、黒挿入率設定部は、ユーザの操作等により外部入力されたタイミングデータに従って、ゲートドライバにＶＳＰ＿ｂを入力するタイミングを設定してもよい。
【０２４９】
ここで、上述した各実施形態に係る液晶表示装置は、各種の電子機器の表示部として用いることができる。電子機器の例としては、上述の実施形態の放送受信装置などのテレビ、コンピュータなどの各種情報処理装置や、プロジェクタ、ディジタルスチルカメラ、各種機器のリモコン、各種情報通信機能を搭載した家電機器、ゲーム機器、携帯音楽プレーヤ、各種記録装置、カーナビゲーション装置、ページャ、電子手帳、電卓、ワードプロセッサ、ＰＯＳ端末、各種モバイル端末、ＰＤＡ、携帯電話機、ウエアラブル情報端末、ＰＮＤ、ＰＭＰなどのポータブル機器など各種の電気製品を含んでよい。
電子機器における表示部の用途としては、表示パネルによる画像をそのまま直視して用いる直視型と、表示パネルによる画像を光学的に拡大投射して用いる投射型とに大別することができるが、実施形態に係る液晶表示装置は、いずれの型にも適用可能である。
【０２５０】
（プログラム）
また、前述した実施形態の機能を実現する本発明のソフトウエアのプログラムは、前述した各実施形態における各種ブロック図などに示された処理部（処理手段）、機能などに対応したプログラムや、フローチャートなどに示された処理手順、処理手段、機能などに対応したプログラムなどにおいて各々処理される各処理プログラム、本明細書で全般的に記述される方法（ステップ）、説明された処理、データの全体もしくは各部を含む。
【０２５１】
具体的には、本発明の制御プログラムは、表示パネルの制御装置が備えたコンピュータに実行させる制御プログラムを対象とするものである。この制御プログラムは、映像表示を行う映像表示走査の開始と黒画像表示を行う黒画像表示走査の開始とを特定期間に行う黒画像挿入駆動を表示パネルに対して行う制御をする黒画像挿入駆動機能（例えば図４６に示すステップＳ１０２の機能、図１に示す符号５１の機能など）と、前記黒画像挿入駆動機能での前記映像表示走査又は前記黒画像表示走査の開始タイミングと同期する同期信号に基づいて、前記表示パネルの背面部にて線順次走査方向と平行な複数の各光源ブロックの各々の点灯開始時期及び消灯開始時期のタイミングの制御を行う点灯タイミング制御機能（例えば図４６に示すステップＳ１０３の機能、図１に示す符号５８の機能など）と、を含む機能をコンピュータに実行させることができる。
【０２５２】
この場合、前記点灯タイミング制御機能では、互いに隣接する前記各光源ブロックの境界部が間隙部を構成する場合に、一の前記光源ブロックの消灯期間が、一の前記光源ブロックに対応する前記表示パネルのブロック領域内の全ての表示ラインについての前記黒画像表示走査の終了時期から、前記ブロック領域内の最初の表示ラインについての前記映像走査の開始時期までの期間以下となる期間条件を満たすように、前記点灯又は消灯の各開始時期を設定制御する設定制御機能を含む機能とし、これらを前記コンピュータに実行させることができる。
【０２５３】
さらに、前記点灯タイミング制御機能では、前記黒画像挿入駆動制御処理によるフレーム期間の黒画像挿入率、前記光源ブロックのブロック分割されるブロック数、前記フレーム期間に占める前記消灯期間の比率である消灯率、前記光源の輝度応答と前記表示パネルの電気光学応答の補正定数をパラメータとして、前記黒画像挿入駆動の前記表示パネルの電気光学応答、前記光源ブロックの駆動の前記光源の輝度応答、前記黒画像挿入駆動の線順次走査の速度にあわせて最適化した各パラメータの最適設定値に基づいて制御することができる。
【０２５４】
プログラムは、オブジェクトコード、インタプリタにより実行されるプログラム、ＯＳに供給するスクリプトデータ等、プログラムの形態を問わない。プログラムは、高水準プロシージャ型またはオブジェクト指向プログラミング言語で、あるいは必要に応じてアセンブリまたはマシン言語で実装することができる。いずれの場合も、言語はコンパイラ型またはインタープリタ型言語であってもよい。
【０２５５】
プログラムを供給する手法としては、電気通信回線（有線、無線を問わない）によってコンピュータと通信可能に接続された外部の機器から前記電気通信回線を通じて提供することも可能である。
【０２５６】
本発明のプログラムによれば、当該制御プログラムを格納するＲＯＭ等の記憶媒体から、当該制御プログラムをコンピュータ（ＣＰＵ）に読み込んで実行させれば、或いは、当該制御プログラムを、通信手段を介してコンピュータにダウンロードさせた後に実行させれば、上述した本発明に係る装置を比較的簡単に実現できる。発明の思想の具現化例として装置のソフトウェアとなる場合には、かかるソフトウェアを記憶した記憶媒体上においても当然に存在し、利用される。
【０２５７】
また、プログラムは、一次複製品、二次複製品などの複製段階については全く問う余地無く同等である。プログラムの供給方法として通信回線を利用して行なう場合であれば通信回線が伝送媒体となって本発明が利用されることになる。むろん、プログラムの発明として特定することもできる。さらに、装置における従属請求項は、方法，プログラムにおいて従属請求項に対応した構成にすることも可能である。
【０２５８】
また、上述のプログラムを、情報記録媒体に記録した構成であってもよい。情報記録媒体には、上述のプログラムを含むアプリケーションプログラムが格納されており、コンピュータが当該情報記録媒体からアプリケーションプログラムを読み出し、当該アプリケーションプログラムをハードディスクにインストールすることが可能である。これにより、上述のプログラムは、磁気記録媒体、光記録媒体あるいはＲＯＭなどの情報記録媒体に記録してプログラムを提供することができる。そのようなプログラムが記録された情報記録媒体を、コンピュータにおいて使用することは、好都合な情報処理装置を構成する。
【０２５９】
プログラムを供給するための情報記録媒体としては、例えばＲＯＭ、ＲＡＭ、フラッシュメモリやＳＲＡＭ等の半導体メモリ並びに集積回路、あるいはそれらを含むＵＳＢメモリやメモリカード、光ディスク、光磁気ディスク、磁気記録媒体等を用いてよく、さらに、フレキシブルディスク、ＣＤ−ＲＯＭ、ＣＤ―Ｒ、ＣＤ―ＲＷ、ＦＤ、ＤＶＤＲＯＭ、ＨＤＤＶＤ（ＨＤＤＶＤ−Ｒ−ＳＬ＜1層＞、 ＨＤＤＶＤ−Ｒ−ＤＬ＜２層＞、ＨＤＤＶＤ−ＲＷ−ＳＬ、ＨＤＤＶＤ−ＲＷ−ＤＬ、ＨＤＤＶＤ−ＲＡＭ−ＳＬ）、ＤＶＤ±Ｒ−ＳＬ、ＤＶＤ±Ｒ−ＤＬ、ＤＶＤ±ＲＷ−ＳＬ、ＤＶＤ±ＲＷ−ＤＬ、ＤＶＤ−ＲＡＭ、Ｂｌｕ−Ｒａｙ  Ｄｉｓｋ＜登録商標＞（ＢＤ−ＲーＳＬ、ＢＤ−Ｒ−ＤＬ、ＢＤ−ＲＥ−ＳＬ、ＢＤ−ＲＥ−ＤＬ）、ＭＯ、ＺＩＰ、磁気カード、磁気テープ、ＳＤカード、メモリスティック、不揮発性メモリカード、ＩＣカード、等の可搬媒体、コンピュータシステムに内蔵されるハードディスク等の記憶装置、等に記録して構成して用いてよい。  
【０２６０】
さらに「情報記録媒体」は、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
【０２６１】
また、本明細書において、フローチャートに示されるステップは、記載された手順に従って時系列的に行われる処理はもちろん、必ずしも時系列的に処理されなくとも、並列的あるいは個別に実行される処理を含むものである。また、実装では、プログラム手順（ステップ）が実行される順序を変更することができる。さらに、実装の必要に応じて、本明細書で説明した特定の手順（ステップ）を、組み合わされた手順（ステップ）として実装、除去、追加、または再配置することができる。
【０２６２】
さらに、装置の各手段、各機能、各ステップの手順の機能などのプログラムの機能を、専用のハードウエア（例えば専用の半導体回路等）によりその機能を達成してもよく、プログラムの全機能のうち一部の機能をハードウェアで処理し、全機能のうちさらに他の機能をソフトウェアで処理するようにしてもよい。専用のハードウェアの場合、各部を集積回路例えばＬＳＩにて形成されてもよい。これらは個別に１チップ化されても良いし、一部または全部を含むように１チップ化されても良い。また、ＬＳＩには、他の機能ブロックが含まれていても良い。また、集積回路化の手法はＬＳＩに限るものではなく、専用回路又は汎用プロセサで実現してもよい。さらには、半導体技術の進歩又は派生する別技術によりＬＳＩに置き換わる集積回路化の技術が登場すれば、当然、その技術を用いて機能ブロックの集積化を行ってもよい。
【０２６３】
また、発明の範囲は、図示例に限定されないものとする。
さらに、上記各実施形態には種々の段階が含まれており、開示される複数の構成要件における適宜な組み合わせにより種々の発明が抽出され得る。つまり、上述の各実施形態同士、あるいはそれらのいずれかと各変形例のいずれかとの組み合わせによる例をも含む。この場合において、本実施形態において特に記載しなくとも、各実施形態及びそれらの変形例に開示した各構成から自明な作用効果については、当然のことながら実施形態の作用効果として含めることができる。逆に、本実施形態に記載されたすべての作用効果を奏することのできる構成が、本発明の本質的特徴部分の必須構成要件であるとは限らない。また、実施形態に示される全構成要件から幾つかの構成要件が削除された構成による実施形態並びにその構成に基づく技術的範囲も発明になりうる。
【０２６４】
そして、各実施形態及びそれらの変形例を含むこれまでの記述は、本発明の理解を容易にするために、本発明の多様な実施形態のうちの一例の開示、すなわち、何れも本発明を実施するにあたっての具体化の例を示したものに過ぎず、例証するものであり、制限するものではなく、適宜変形及び／又は変更が可能である。本発明は、その技術思想、またはその主要な特徴に基づいて、様々な形で実施することができ、各実施形態及びその変形例によって本発明の技術的範囲が限定的に解釈されてはならないものである。
従って、上記に開示された各要素は、本発明の技術的範囲に属する全ての設計変更や均等物を含む趣旨である。
【産業上の利用可能性】
【０２６５】
本発明は、表示装置全般、それを含む電子機器に適用可能である。
【図面の簡単な説明】
【０２６６】
【図１】本発明の第１の実施形態による液晶表示装置の全体構成の一例を示すブロック図である。
【図２】図１の液晶表示装置の詳細構成の一例を示す説明図である。
【図３】本発明の第１の実施形態による液晶表示装置において、黒挿入画像信号を生成する過程の一例を説明するための説明図である。
【図４】本発明の第１の実施形態による液晶表示装置による黒挿入駆動の一例を説明するための図であって、一のゲートドライバ（Ｙドライバ）のいずれかのラインに映像信号、他のゲートドライバのいずれかのラインに黒を書き込む場合を示すタイミングチャートである。
【図５】本発明の第１の実施形態による液晶表示装置による黒挿入駆動の一例を説明するための図であって、一のゲートドライバ（Ｙドライバ）のいずれかのラインに黒、他のゲートドライバのいずれかのラインに映像信号を書き込む場合を示すタイミングチャートである。
【図６】本発明の第１の実施形態による液晶表示装置による黒挿入駆動の一例を説明するための説明図である。
【図７】本発明の第１の実施形態による液晶表示装置による黒挿入駆動での画面表示の一例を説明するための説明図であり、同図（Ａ）は、通常駆動の場合を示す説明図、同図（Ｂ）は、黒挿入駆動の場合を示す説明図である。
【図８】図１の液晶表示装置のバックライトユニットの詳細構成の一例を示す説明図である。
【図９】図８のバックライトユニットのＡ−Ａ´断面の断面構造の一例を示す断面図である。
【図１０】図９のバックライトユニットの断面構造において、Ｎ個のバックライトブロックの輝度分布の一例を示す説明図である。
【図１１】液晶表示装置による通常駆動の映像信号を書き込む場合におけるバックライトの点灯期間の一例を説明するための説明図である。
【図１２】本発明の第１の実施形態による液晶表示装置によるスキャニングバックライト駆動でのＮ個のバックライトブロックの点灯期間及び消灯期間と黒挿入期間との対応関係の一例を説明するための説明図である。
【図１３】本発明の第１の実施形態による液晶表示装置によるスキャニングバックライト駆動でのＮ個のバックライトブロックの点灯タイミング制御の詳細の一例を説明するための説明図である。
【図１４】完全遮光構造にてスキャニングバックライト駆動を行った場合の画面各部の輝度波形の一例を示す説明図である。
【図１５】本発明の第１の実施形態による液晶表示装置において、隣接する各バックライトブロック間で光が漏れる構造にてスキャニングバックライト駆動を行った場合の画面各部の輝度波形の一例を示す図であって、バックライトブロックのブロック分割数が４の場合を示す説明図である。
【図１６】本発明の第１の実施形態による液晶表示装置において、隣接する各バックライトブロック間で光が漏れる構造にてスキャニングバックライト駆動を行った場合の画面各部の輝度波形の一例を示す図であって、バックライトブロックのブロック分割数が８の場合を示す説明図である。
【図１７】液晶表示装置にて黒挿入駆動を行った場合の画面各部の輝度波形を示す説明図である。
【図１８】本発明の第１の実施形態による液晶表示装置において、黒挿入駆動にタイミングを合わせてバックライトブロックの点灯タイミング制御を行った場合の画面各部の輝度波形の一例を示す説明図である。
【図１９】関連技術の遮光なしの液晶表示装置にてスキャニングバックライト駆動を行った場合の動画像の一例を示す説明図である。
【図２０】関連技術の完全遮光構造の液晶表示装置にてスキャニングバックライト駆動を行った場合の動画像の一例を示す説明図である。
【図２１】本発明の第１の実施形態による液晶表示装置にてスキャニングバックライト駆動を行った場合の動画像の一例を示す説明図である。
【図２２】本発明の第１の実施形態による液晶表示装置において、各消灯率における補正定数（τ）と動画尾引き（ＭＰＲＴ）との相関関係の一例を示す図であって、黒表示→白表示の場合を示す説明図である。
【図２３】本発明の第１の実施形態による液晶表示装置において、各消灯率における補正定数（τ）と動画尾引き（ＭＰＲＴ）との相関関係の一例を示す図であって、白表示→黒表示の場合を示す説明図である。
【図２４】本発明の第１の実施形態による液晶表示装置において、各消灯率における補正定数（τ）と白輝度との相関関係の一例を示す説明図である。
【図２５】本発明の第１の実施形態による液晶表示装置において、各消灯率における補正定数（τ）と白表示のホワイトバランス（ｘ）との相関関係の一例を示す説明図である。
【図２６】本発明の第１の実施形態による液晶表示装置において、各消灯率における補正定数（τ）と白表示のホワイトバランス（ｙ）との相関関係の一例を示す説明図である。
【図２７】本発明の第１の実施形態による液晶表示装置において、補正定数（τ）の最適値にて分割されたバックライトブロックのブロック数（Ｎ）・消灯率（Ｘｂ）を変えたときの動画像のゆがみ・動画尾引きの色づきの評価に用いる画面の一例を示す説明図であり、縦帯画面を横にスクロールさせる場合の入力画像の状態を示す。
【図２８】本発明の第１の実施形態による液晶表示装置において、補正定数（τ）の最適値にて分割されたバックライトブロックのブロック数（Ｎ）・消灯率（Ｘｂ）を変えたときの動画像のゆがみ・動画尾引きの色づきの評価に用いる画面の一例を示す説明図であり、動画像のゆがみ、動画尾引きの色づきを認識しやすい表示状態を示す。
【図２９】本発明の第１の実施形態による液晶表示装置において、補正定数（τ）の最適値にて分割されたバックライトブロックのブロック数（Ｎ）・消灯率（Ｘｂ）を変えたときの動画像のゆがみ・動画尾引きの色づきの評価結果の一例を示す説明図である。
【図３０】本発明の第１の実施形態による液晶表示装置において、スキャニングバックライトの１つのバックライトブロックの黒挿入駆動の場合の一例を説明するための説明図である。
【図３１】本発明の第１の実施形態による液晶表示装置において、液晶表示パネルがＩＰＳパネルの場合の相対透過率の一例を示す説明図である。
【図３２】本発明の第１の実施形態による液晶表示装置において、液晶表示パネルがＴＮパネルの場合の相対透過率の一例を示す説明図である。
【図３３】本発明の第１の実施形態による液晶表示装置において、バックライトブロックの光源を陰極管で構成した場合の詳細構成の一例を示す説明図である。
【図３４】本発明の第１の実施形態による液晶表示装置において、バックライトブロックの光源をＬＥＤで構成した場合の詳細構成の一例を示す説明図である。
【図３５】本発明の第１の実施形態による液晶表示装置の変形例において、バックライトユニットの詳細構成の一例を示す説明図である。
【図３６】図３５のバックライトユニットのＡ−Ａ´断面の断面構造の一例を示す断面図である。
【図３７】本発明の第１の実施形態による液晶表示装置の変形例において、バックライトユニットの詳細構成の一例を示す説明図である。
【図３８】図３７のバックライトユニットのＡ−Ａ´断面の断面構造の一例を示す断面図である。
【図３９】本発明の第２の実施形態による液晶表示装置の全体構成の一例を示すブロック図である。
【図４０】図３９の液晶表示装置の詳細構成の一例を示す説明図である。
【図４１】本発明の第２の実施形態による液晶表示装置による黒挿入駆動での画面表示の一例を説明するための説明図であり、同図（Ａ）は、通常駆動の場合を示す説明図、同図（Ｂ）は、フレーム挿入による黒挿入駆動の場合を示す説明図である。
【図４２】液晶表示装置による通常駆動の映像信号を書き込む場合におけるバックライトの点灯期間の一例を説明するための説明図である。
【図４３】本発明の第２の実施形態による液晶表示装置によるスキャニングバックライト駆動でのＮ個のバックライトブロックの点灯期間及び消灯期間と黒挿入期間との対応関係の一例を説明するための説明図である。
【図４４】本発明の第３の実施形態による放送受信装置の概略構成の一例を示すブロック図である。
【図４５】本発明の第４の実施形態による液晶表示装置の概略構成の一例を示すブロック図である。
【図４６】本発明の第５の実施形態による液晶表示装置の駆動制御手順の一例を示すフローチャートである。
【図４７】液晶表示装置の輝度波形の状態の一例を説明するための図であって、全白表示で通常駆動の場合を示す説明図である。
【図４８】液晶表示装置の輝度波形の状態の一例を説明するための図であって、全白表示で黒挿入駆動の場合を示す説明図である。
【図４９】液晶表示装置の輝度波形の状態の一例を説明するための図であって、全白表示でスキャニングバックライト駆動の場合を示す説明図である。
【図５０】液晶表示装置の輝度波形の状態の一例を説明するための図であって、全黒表示で通常駆動の場合を示す説明図である。
【図５１】液晶表示装置の輝度波形の状態の一例を説明するための図であって、全黒表示で黒挿入駆動の場合を示す説明図である。
【図５２】液晶表示装置の輝度波形の状態の一例を説明するための図であって、全黒表示でスキャニングバックライト駆動の場合を示す説明図である。
【図５３】液晶表示装置によるブリンキングバックライト駆動でのバックライトの点灯期間及び消灯期間と映像書込期間との対応関係の一例を説明するための説明図である。
【図５４】図５１のラインＡの液晶透過率波形及びラインＢの液晶透過率波形の一例を説明するための説明図である。
【図５５】光源ブロック間の光漏れによる消灯状態と動画尾引きを説明するための図であって、通常駆動における輝度波形と動画像の状態の一例を示す説明図である。
【図５６】光源ブロック間の光漏れによる消灯状態と動画尾引きを説明するための図であって、光源ブロック間の光漏れのないスキャニングバックライト駆動における輝度波形と動画像の状態の一例を示す説明図である。
【図５７】光源ブロック間の光漏れによる消灯状態と動画尾引きを説明するための図であって、光源ブロック間の光漏れによる消灯不足の場合のスキャニングバックライト駆動における輝度波形と動画像の状態の一例を示す説明図である。
【図５８】液晶表示装置の線順次駆動とスキャニングバックライト駆動による動画像を説明するための図であって、入力画像の一例を示す説明図である。
【図５９】液晶表示装置の線順次駆動とスキャニングバックライト駆動による動画像を説明するための図であって、黒挿入駆動での動画像の一例を示す説明図である。
【図６０】液晶表示装置の線順次駆動とスキャニングバックライト駆動による動画像を説明するための図であって、通常駆動（線順次走査）での動画像の一例を示す説明図である。
【図６１】液晶表示装置の線順次駆動とスキャニングバックライト駆動による動画像を説明するための図であって、スキャニングバックライト駆動での動画像の一例を示す説明図である。
【図６２】液晶表示装置のバックライトの光源ブロック内のライトソースの輝度、色度の個体差を説明するための図であって、遮光構造なしのバックライトの場合の各ブロックでの輝度の状態を示す説明図である。
【図６３】液晶表示装置のバックライトの光源ブロック内のライトソースの輝度、色度の個体差を説明するための図であって、遮光構造なしのバックライトの場合の各ブロックでの色度の状態を示す説明図である。
【図６４】液晶表示装置のバックライトの光源ブロック内のライトソースの輝度、色度の個体差を説明するための図であって、完全遮光構造のバックライトの場合の各ブロックでの輝度の状態を示す説明図である。
【図６５】液晶表示装置のバックライトの光源ブロック内のライトソースの輝度、色度の個体差を説明するための図であって、完全遮光構造のバックライトの場合の各ブロックでの色度の状態を示す説明図である。
【図６６】液晶表示装置のバックライトのライトソースの一例であるＣＣＦＬのＲＧＢの各波長の光学応答特性を示す説明図であって、消灯の場合のＲｅｄの光学応答特性を示す。
【図６７】液晶表示装置のバックライトのライトソースの一例であるＣＣＦＬのＲＧＢの各波長の光学応答特性を示す説明図であって、消灯の場合のＧｒｒｅｎの光学応答特性を示す。
【図６８】液晶表示装置のバックライトのライトソースの一例であるＣＣＦＬのＲＧＢの各波長の光学応答特性を示す説明図であって、消灯の場合のＢｌｕｅの光学応答特性を示す。
【図６９】液晶表示装置のバックライトのライトソースの一例であるＣＣＦＬのＲＧＢの各波長の光学応答特性を示す説明図であって、点灯の場合のＲｅｄの光学応答特性を示す。
【図７０】液晶表示装置のバックライトのライトソースの一例であるＣＣＦＬのＲＧＢの各波長の光学応答特性を示す説明図であって、点灯の場合のＧｒｒｅｎの光学応答特性を示す。
【図７１】液晶表示装置のバックライトのライトソースの一例であるＣＣＦＬのＲＧＢの各波長の光学応答特性を示す説明図であって、点灯の場合のＢｌｕｅの光学応答特性を示す。
【図７２】液晶表示装置の動画像尾引きの変色の状態を示す説明図である。
【図７３】関連技術の液晶表示装置の構成の一例を示す説明図である。
【図７４】関連技術の液晶表示装置の構成の一例を示す説明図である。
【図７５】関連技術の液晶表示装置の駆動制御手順の一例を示すタイミングチャートである。
【符号の説明】
【０２６７】
１、３００、６００  液晶表示装置
１０、１１０、２１０、３１０  液晶表示パネル  
２０、３２０  バックライトユニット
２２―１〜２２―Ｎ、１２２―１〜１２２―Ｎ、３２２―１〜３２２―Ｎ  
バックライトブロック（光源ブロック）
２４、２５、１２４、１２５、２２４、２２５  光源
２４ｂ  ＬＥＤ
２６、１２６  間隙部
２７  ブロック境界部
２８、１２８  天部
２９、１２９  底部
３２―１〜３２―Ｎ、３３２―１〜３３２―Ｎ、  点灯制御回路（点灯制御部）
４４、３４４  ゲートドライバ群（ゲート線駆動部）  
４６、３４６  ソースドライバ群（ソース線駆動部）
５０、６５０  コントローラ（表示パネルの制御装置）
５１、３５１、６５１  黒挿入駆動部（黒画像挿入駆動部）
５８、３５８、６５８  点灯タイミング制御部  
１１７、２１７  ブロック遮光構造部（凸部）
３５２  黒挿入信号変換部（黒画像挿入信号変換部）
３５６  倍速駆動変換部（倍速変換制御部）  
５００  放送受信装置（電子機器）    
６６０  パラメータ設定制御部  
【図１】
0005344846.tif 000002
【図２】
0005344846.tif 000003
【図３】
0005344846.tif 000004
【図４】
0005344846.tif 000005
【図５】
0005344846.tif 000006
【図６】
0005344846.tif 000007
【図７】
0005344846.tif 000008
【図８】
0005344846.tif 000009
【図９】
0005344846.tif 000010
【図１０】
0005344846.tif 000011
【図１１】
0005344846.tif 000012
【図１２】
0005344846.tif 000013
【図１３】
0005344846.tif 000014
【図１４】
0005344846.tif 000015
【図１５】
0005344846.tif 000016
【図１６】
0005344846.tif 000017
【図１７】
0005344846.tif 000018
【図１８】
0005344846.tif 000019
【図１９】
0005344846.tif 000020
【図２０】
0005344846.tif 000021
【図２１】
0005344846.tif 000022
【図２２】
0005344846.tif 000023
【図２３】
0005344846.tif 000024
【図２４】
0005344846.tif 000025
【図２５】
0005344846.tif 000026
【図２６】
0005344846.tif 000027
【図２７】
0005344846.tif 000028
【図２８】
0005344846.tif 000029
【図２９】
0005344846.tif 000030
【図３０】
0005344846.tif 000031
【図３１】
0005344846.tif 000032
【図３２】
0005344846.tif 000033
【図３３】
0005344846.tif 000034
【図３４】
0005344846.tif 000035
【図３５】
0005344846.tif 000036
【図３６】
0005344846.tif 000037
【図３７】
0005344846.tif 000038
【図３８】
0005344846.tif 000039
【図３９】
0005344846.tif 000040
【図４０】
0005344846.tif 000041
【図４１】
0005344846.tif 000042
【図４２】
0005344846.tif 000043
【図４３】
0005344846.tif 000044
【図４４】
0005344846.tif 000045
【図４５】
0005344846.tif 000046
【図４６】
0005344846.tif 000047
【図４７】
0005344846.tif 000048
【図４８】
0005344846.tif 000049
【図４９】
0005344846.tif 000050
【図５０】
0005344846.tif 000051
【図５１】
0005344846.tif 000052
【図５２】
0005344846.tif 000053
【図５３】
0005344846.tif 000054
【図５４】
0005344846.tif 000055
【図５５】
0005344846.tif 000056
【図５６】
0005344846.tif 000057
【図５７】
0005344846.tif 000058
【図５８】
0005344846.tif 000059
【図５９】
0005344846.tif 000060
【図６０】
0005344846.tif 000061
【図６１】
0005344846.tif 000062
【図６２】
0005344846.tif 000063
【図６３】
0005344846.tif 000064
【図６４】
0005344846.tif 000065
【図６５】
0005344846.tif 000066
【図６６】
0005344846.tif 000067
【図６７】
0005344846.tif 000068
【図６８】
0005344846.tif 000069
【図６９】
0005344846.tif 000070
【図７０】
0005344846.tif 000071
【図７１】
0005344846.tif 000072
【図７２】
0005344846.tif 000073
【図７３】
0005344846.tif 000074
【図７４】
0005344846.tif 000075
【図７５】
0005344846.tif 000076